(57)【要約】  第１操作部を押操作する第１操作力と、第２操作部を押操作する第２操作力とを調整することができる入力装置を提供することを目的とする。入力装置（１）は、押操作される第１操作部（３Ａ）と、押操作される第２操作部（３Ｂ）と、回転する第１回転部材（４）と、回転する第２回転部材（５）と、第１スイッチ（７０Ａ）と、第２スイッチ（７０Ｂ）と、発電デバイス（６）と、を備える。発電デバイス（６）は、第１回転部材（４）が回転すると、発電を行う。第１操作部（３Ａ）が押された場合、第１スイッチ（７０Ａ）がオンし、かつ、第１回転部材（４）が第１操作部（３Ａ）から直接的に力を加えられて回転する。第２操作部（３Ｂ）が押された場合、第２スイッチ（７０Ｂ）がオンし、かつ、第１回転部材（４）が第２操作部（３Ｂ）から第２回転部材（５）を介して間接的に力を加えられて回転する。
2020080114.tif 000002
【特許請求の範囲】
【請求項１】
押操作される第１操作部と、
押操作される第２操作部と、
回転する第１回転部材と、
回転する第２回転部材と、
第１スイッチと、
第２スイッチと、
前記第１回転部材が回転すると、発電を行う発電デバイスと、を備え、
前記第１操作部が押された場合、前記第１スイッチがオンし、かつ、前記第１回転部材が前記第１操作部から直接的に力を加えられて回転し、
前記第２操作部が押された場合、前記第２スイッチがオンし、かつ、前記第１回転部材が前記第２操作部から前記第２回転部材を介して間接的に力を加えられて回転する、
入力装置。
【請求項２】
前記第１操作部又は前記第２操作部が押された場合に、前記第１回転部材が回転する向きと、前記第２操作部が押された場合に、前記第２回転部材が回転する向きとが、互いに逆向きである、
請求項１に記載の入力装置。
【請求項３】
前記第１操作部が押された場合、前記第１スイッチがオンした後に前記発電デバイスが発電し、
前記第２操作部が押された場合、前記第２スイッチがオンした後に前記発電デバイスが発電する、
請求項１又は２に記載の入力装置。
【請求項４】
前記第１操作部と前記第１スイッチとの間に設けられた第１ばねと、
前記第２操作部と前記第２スイッチとの間に設けられた第２ばねと、を更に備え、
前記第１操作部が押された場合に前記第１スイッチがオンするタイミングは、前記第１ばねの弾性力によって調整され、
前記第２操作部が押された場合に前記第２スイッチがオンするタイミングは、前記第２ばねの弾性力によって調整される、
請求項３に記載の入力装置。
【請求項５】
前記第１ばねを覆うように前記第１操作部に保持される第１カバー部と、
前記第２ばねを覆うように前記第２操作部に保持される第２カバー部と、を更に備え、
前記第１カバー部は、前記第１操作部が押された場合に、前記第１スイッチをオンし、かつ前記第１スイッチからの応力によって前記第１ばねを縮める方向に移動可能であり、
前記第２カバー部は、前記第２操作部が押された場合に、前記第２スイッチをオンし、かつ前記第２スイッチからの応力によって前記第２ばねを縮める方向に移動可能である、
請求項４に記載の入力装置。
【請求項６】
前記第２回転部材は、前記第１回転部材に対して力を加える一対の押圧部を有し、
前記一対の押圧部は、前記発電デバイスの両側に設けられている、
請求項１〜５のうちいずれか１項に記載の入力装置。
【請求項７】
前記発電デバイスと電気的に接続された基板を更に備え、
前記基板は、前記一対の押圧部の間に設けられている、
請求項６に記載の入力装置。
【請求項８】
前記発電デバイスは、振動体と、前記振動体に設けられた圧電素子と、を有している、
請求項１〜７のうちいずれか１項に記載の入力装置。
【請求項９】
前記第１回転部材に保持された磁石を更に備え、
前記磁石の磁力を用いて前記振動体を振動させる、
請求項８に記載の入力装置。
【請求項１０】
押操作される第３操作部と、
第３スイッチと、を更に備え、
前記第３操作部が押された場合、前記第３スイッチがオンし、かつ、前記第１回転部材が前記第３操作部から直接的又は間接的に力を加えられて回転する、
請求項１〜９のうちいずれか１項に記載の入力装置。
【請求項１１】
前記第３操作部は、前記第１操作部及び前記第２操作部が押される向きに対して直交する向きに押される、
請求項１０に記載の入力装置。
【請求項１２】
無線信号を出力する送信回路を、更に備え、
前記送信回路は、前記発電デバイスが発生した電力を用いて前記無線信号を出力する、
請求項１〜１１のうちいずれか１項に記載の入力装置。
【請求項１３】
前記第２操作部は、前記第２回転部材と一体となって形成されている、
請求項１〜１２のうちいずれか１項に記載の入力装置。
【発明の詳細な説明】
【技術分野】
【０００１】
本開示は、一般に入力装置に関し、より詳細には、発電デバイスを有する入力装置に関する。
【背景技術】
【０００２】
従来、振動発電素子（発電デバイス）を備えた発電装置（入力装置）が開示されている（例えば、特許文献１参照）。【０００３】
特許文献１の発電装置は、振動発電素子を備えている。振動発電素子は、支持部と、振動子と、を備えている。振動子は、圧電変換部を有し支持部に揺動自在に支持されている。振動発電素子は、振動することにより、電気エネルギーを発生する。
【先行技術文献】
【特許文献】
【０００４】
【特許文献１】特開２０１６−８６５９９号公報
【発明の概要】
【０００５】
ところで、入力装置において、押操作に連動して発電デバイスを駆動させる操作部を複数備えている場合、各操作部を押操作する操作力を調整することが望まれている。
【０００６】
本開示は、上記事由に鑑みてなされており、その目的は、第１操作部を押操作する第１操作力と、第２操作部を押操作する第２操作力とを調整することができる入力装置を提供することにある。
【０００７】
本開示の一態様に係る入力装置は、押操作される第１操作部と、押操作される第２操作部と、回転する第１回転部材と、回転する第２回転部材と、第１スイッチと、第２スイッチと、発電デバイスと、を備える。前記発電デバイスは、前記第１回転部材が回転すると、発電を行う。前記第１操作部が押された場合、前記第１スイッチがオンし、かつ、前記第１回転部材が前記第１操作部から直接的に力を加えられて回転する。前記第２操作部が押された場合、前記第２スイッチがオンし、かつ、前記第１回転部材が前記第２操作部から前記第２回転部材を介して間接的に力を加えられて回転する。
【図面の簡単な説明】
【０００８】
【図１】図１は、本開示の一実施形態に係る入力装置の分解斜視図である。
【図２】図２は、同上の入力装置におけるケースを外した状態の斜視図である。
【図３】図３は、同上の入力装置におけるブロック図である。
【図４】図４Ａ〜図４Ｃは、同上の入力装置における発電デバイスの動作説明図である。
【図５】図５Ａ及び図５Ｂは、同上の入力装置における第１操作部が押された際の動作説明図である。
【図６】図６Ａ及び図６Ｂは、同上の入力装置における第２操作部が押された際の動作説明図である。
【図７】図７は、同上の入力装置において第１操作部が押された際のタイムチャートである。
【図８】図８は、本開示の一実施形態の第１変形例に係る入力装置の分解斜視図である。
【図９】図９Ａ及び図９Ｂは、同上の入力装置における第３操作部が押された際の動作説明図である。
【図１０】図１０は、本開示の一実施形態の第２変形例に係る入力装置の分解斜視図である。
【図１１】図１１は、同上の入力装置におけるケースを外した状態の斜視図である。
【図１２】図１２は、同上のケースのケース本体の上方から見た斜視図である。
【図１３】図１３は、同上の入力装置における下カバーを分解した状態の下方から見た分解斜視図である。
【図１４】図１４Ａは、同上の入力装置における第１操作構造体の下方から見た分解斜視図である。図１４Ｂは、同上の第１操作構造体の下方から見た斜視図である。
【図１５】図１５Ａは、同上の入力装置における第２操作構造体の下方から見た分解斜視図である。図１５Ｂは、同上の第２操作構造体の下方から見た斜視図である。
【図１６】図１６Ａ及び図１６Ｂは、同上の入力装置における発電デバイスの動作説明図である。
【図１７】図１７Ａ及び図１７Ｂは、同上の入力装置における第１操作部が押された際の動作説明図である。
【図１８】図１８Ａ及び図１８Ｂは、同上の入力装置における第２操作部が押された際の動作説明図である。
【発明を実施するための形態】
【０００９】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１０】
（１）概要
本実施形態に係る入力装置１について、図１〜図７を参照して説明する。
【００１１】
本実施形態の入力装置１は、押操作される第１操作部３Ａと、押操作される第２操作部３Ｂと、回転する第１回転部材４と、回転する第２回転部材５と、第１スイッチ７０Ａと、第２スイッチ７０Ｂと、第１回転部材４が回転すると発電を行う発電デバイス６と、を備えている。
【００１２】
第１操作部３Ａが押された場合、第１スイッチ７０Ａがオンし、かつ、第１回転部材４が第１操作部３Ａから直接的に力を加えられて回転する。また、第２操作部３Ｂが押された場合、第２スイッチ７０Ｂがオンし、かつ、第１回転部材４が第２操作部３Ｂから第２回転部材５を介して間接的に力を加えられて回転する。
【００１３】
つまり、本実施形態の入力装置１では、第１操作部３Ａ又は第２操作部３Ｂが押されることにより、第１回転部材４が直接的又は間接的に押されて回転し、発電デバイス６が駆動されて発電する。したがって、入力装置１では、第１操作部３Ａ又は第２操作部３Ｂの押操作に伴って発電することができる。
【００１４】
また、本実施形態の入力装置１は、発電デバイス６から電力が供給される電源回路７１、制御回路７２、及び送信回路７３を備えている（図３参照）。電源回路７１、制御回路７２、及び送信回路７３は、筐体２内に設けられた基板７、及び基板７に実装された回路素子により構成されている。送信回路７３は、発電デバイス６が発生した電力を用いて無線信号を出力するように構成されている。つまり、入力装置１では、発電デバイス６で発電された電力によって、通信回路（送信回路７３等）を動作させ、無線信号を出力することができる。したがって、入力装置１では、別途、電池、商用電源などからの電力供給が不要である。
【００１５】
（２）詳細
以下、本実施形態に係る入力装置１について詳細に説明する。
【００１６】
特に断りがない限り、第１操作部３Ａ及び第２操作部３Ｂの移動方向を上下方向、第１操作部３Ａと第２操作部３Ｂが並ぶ方向を左右方向、上下方向及び左右方向と直交する方向を前後方向として説明する。さらに、第１操作部３Ａ及び第２操作部３Ｂが押された際に移動する向きを下方、第１操作部３Ａに対して第２操作部３Ｂが設けられている方向を左方として説明する。つまり、図１等において、「上」、「下」、「左」、「右」、「前」、「後」の矢印で示す通りに上下、左右、及び前後の各方向を規定する。ただし、これらの方向は入力装置１の使用方向を規定する趣旨ではない。また、図面中の各方向を示す矢印は説明のために表記しているに過ぎず、実体を伴わない。
【００１７】
入力装置１は、筐体２を有する。筐体２は、第１操作部３Ａ、第２操作部３Ｂ、第１スイッチ７０Ａ、第２スイッチ７０Ｂ、第１回転部材４、第２回転部材５、発電デバイス６等を収容する。
【００１８】
筐体２は、合成樹脂製であり、矩形体状に形成されている。筐体２は、ケース２１と、下カバー２２とを有する。ケース２１は、下面に開口を有する矩形箱状に形成されている。下カバー２２は、矩形板状の底部２２０を有する。ケース２１の開口の周縁部と、下カバー２２の底部２２０の周縁部とが接合されて、筐体２を構成している。ケース２１と下カバー２２との接合は、例えば、レーザ溶着によって実現されている。これにより、入力装置１では、ケース２１と下カバー２２との接合箇所から、水等が筐体２内に浸入することを抑制できる。また、入力装置１は、発電デバイス６を備えているため、電池等が不要である。入力装置１の筐体２内には、電池等を収容するための空間が不要であり、筐体２には当該空間へのアクセスを可能とする蓋も不要である。したがって、筐体２の防水性の向上を図ることができる。そのため、入力装置１は、とくに屋外での使用に好適である。
【００１９】
第１操作部３Ａと第２操作部３Ｂとは、左右方向に並べて配置されている。第１操作部３Ａは、第２操作部３Ｂに対して右側に配置されている。
【００２０】
第１操作部３Ａは、合成樹脂製である。第１操作部３Ａは、突起３１Ａと、押圧片３２Ａと、一対の突出片３３Ａと、を有している。押圧片３２Ａは、前後方向に長い矩形板状に形成されている。突起３１Ａは、押圧片３２Ａの上面の中央部から上方に突出する円柱状に形成されている。一対の突出片３３Ａは、押圧片３２Ａの前後方向の両端部から下方に突出している。
【００２１】
第１操作部３Ａは、ケース２１の上面に形成された貫通孔を突起３１Ａが下側から貫通するように、ケース２１に組み付けられている。これにより、突起３１Ａの先端部（上端部）は、貫通孔を通して筐体２の上面から上方に突出する。
【００２２】
また、一対の突出片３３Ａは、ケース２１の内面に形成された一対のガイド溝に嵌まるように、ケース２１に組み付けられている。一対のガイド溝は、ケース２１における前後両側の内面に上下方向に沿って形成されている。一対の突出片３３Ａが一対のガイド溝に嵌まることにより、第１操作部３Ａの移動方向が上下方向に規制される。
【００２３】
ケース２１の上面において、突起３１Ａが貫通する貫通孔の周縁部には防水ゴム２３Ａが設けられている。防水ゴム２３Ａは、ドーム状に形成され、突起３１Ａ及び突起３１Ａが貫通する貫通孔を覆っている。防水ゴム２３Ａは、防水ゴム２３Ａ越しに第１操作部３Ａを押すことができるように、十分な可撓性を有している。押圧片３２Ａの上面は、防水ゴム２３Ａ又はケース２１の内面に当たることにより、筐体２の上面からの突起３１Ａの突出寸法が、規定寸法以下に規制される。なお、防水ゴム２３Ａとケース２１とは、例えば二色成形などによって一体に成形されていることが好ましい。これにより、入力装置１では、防水ゴム２３Ａとケース２１との間に隙間が生じることを抑制でき、水などが筐体２内に浸入することを抑制できる。
【００２４】
第１スイッチ７０Ａは、第１操作部３Ａの下方に配置されている。具体的には、第１スイッチ７０Ａは、筐体２に収納された基板７の上面において、第１操作部３Ａの突起３１Ａの下方の位置に配置されている。基板７は、プリント基板であって、第１スイッチ７０Ａが実装されている。突起３１Ａと第１スイッチ７０Ａとの間には、第１ばね３０Ａが配置されている。第１ばね３０Ａは、コイルばねであって、突起３１Ａと第１スイッチ７０Ａとで挟まれている。突起３１Ａは、中空に形成されており、第１ばね３０Ａの上端部が嵌め込まれる。これにより、第１ばね３０Ａが位置決めされる。
【００２５】
第１操作部３Ａは、第１操作部３Ａが押されていない定常状態では、第１ばね３０Ａの弾性力によって可動範囲の上端位置に位置する。このときの第１操作部３Ａの位置を、以下では「基準位置」という。第１操作部３Ａが基準位置にあれば、第１スイッチ７０Ａがオフとなる。第１操作部３Ａは、第１操作部３Ａが押された状態では、基準位置から下方に移動して第１ばね３０Ａを圧縮し、第１操作部３Ａに加えられた下向きの力が第１ばね３０Ａを介して第１スイッチ７０Ａに伝達される。このときの第１操作部３Ａの位置を、以下では「操作位置」という。第１操作部３Ａが操作位置にあれば、第１スイッチ７０Ａがオンとなる。第１操作部３Ａを押す力が無くなると、第１ばね３０Ａの弾性力によって第１操作部３Ａが基準位置に復帰し、第１スイッチ７０Ａがオフとなる。
【００２６】
要するに、第１操作部３Ａは、ユーザの操作に応じて、上下方向に沿って基準位置と操作位置との間を直進移動する。そして、第１操作部３Ａが、定常状態となる基準位置にあれば第１スイッチ７０Ａがオフになり、第１操作部３Ａが操作位置にあれば第１スイッチ７０Ａがオンとなる。このようにして、第１操作部３Ａ及び第１スイッチ７０Ａは、第１操作部３Ａが押されている間だけ第１スイッチ７０Ａがオン状態になるモーメンタリ型の押ボタンスイッチを構成する。
【００２７】
第２操作部３Ｂ、第２スイッチ７０Ｂ、及び第２ばね３０Ｂは、それぞれ第１操作部３Ａ、第１スイッチ７０Ａ、第１ばね３０Ａと共通の構成を採用しており、詳細な説明を適宜省略する。第２操作部３Ｂ、第２スイッチ７０Ｂ、及び第２ばね３０Ｂは、それぞれ第１操作部３Ａ、第１スイッチ７０Ａ、第１ばね３０Ａに対して左側に配置されている。
【００２８】
第２操作部３Ｂは、突起３１Ｂと、押圧片３２Ｂと、一対の突出片３３Ｂと、を有している。突起３１Ｂ、押圧片３２Ｂ、及び一対の突出片３３Ｂは、それぞれ第１操作部３Ａの突起３１Ａ、押圧片３２Ａ、一対の突出片３３Ａと同じ構成である。
【００２９】
第２操作部３Ｂは、ケース２１の上面に形成された貫通孔を突起３１Ｂが下側から貫通するように、ケース２１に組み付けられている。これにより、突起３１Ｂの先端部（上端部）は、貫通孔を通して筐体２の上面から突出する。
【００３０】
また、一対の突出片３３Ｂは、ケース２１の内面に形成された一対のガイド溝に嵌まるように、ケース２１に組み付けられている。これにより、第２操作部３Ｂの移動方向が上下方向に規制される。
【００３１】
ケース２１の上面において、突起３１Ｂが貫通する貫通孔の周縁部には防水ゴム２３Ｂが設けられている。防水ゴム２３Ｂは、防水ゴム２３Ａと同じ構成であり、突起３１Ｂ及び突起３１Ｂが貫通する貫通孔を覆っている。本実施形態では、防水ゴム２３Ａと防水ゴム２３Ｂとは連結されており、一体に成形されている。
【００３２】
第２スイッチ７０Ｂは、基板７の上面において、第２操作部３Ｂの突起３１Ｂの下方の位置に配置されている。突起３１Ｂと第２スイッチ７０Ｂとの間には、第２ばね３０Ｂが配置されている。
【００３３】
第２操作部３Ｂは、ユーザの操作に応じて、上下方向に沿って基準位置と操作位置との間を直進移動する。そして、第２操作部３Ｂが、定常状態となる基準位置にあれば第２スイッチ７０Ｂがオフになり、第２操作部３Ｂが操作位置にあれば第２スイッチ７０Ｂがオンとなる。このようにして、第２操作部３Ｂ及び第２スイッチ７０Ｂは、第２操作部３Ｂが押されている間だけ第２スイッチ７０Ｂがオン状態になるモーメンタリ型の押ボタンスイッチを構成する。
【００３４】
基板７は、下カバー２２の底部２２０に設けられた一対の第１支持部２２１、及び一対の第２支持部２２２によって支持される。下カバー２２の底部２２０には、左端部から上方に突出するように支持台２２３がさらに設けられている。一対の第１支持部２２１は、支持台２２３の前後両側から上方に突出するように設けられている。一対の第２支持部２２２は、下カバー２２の底部２２０の右端部から上方に突出するように設けられている。一対の第２支持部２２２は、前後方向に並んで形成されている。基板７は、一対の第１支持部２２１、及び一対の第２支持部２２２の各々の上面と接触するように配置される。
【００３５】
基板７には、上述した第１スイッチ７０Ａ及び第２スイッチ７０Ｂの他に、電源回路７１、制御回路７２、及び送信回路７３などを構成する電子部品が実装されている（図３参照）。
【００３６】
電源回路７１は、発電デバイス６と電気的に接続されている。詳しくは後述するが、第１操作部３Ａ又は第２操作部３Ｂが押されると、発電デバイス６が発電して交流電圧を発生する。電源回路７１は、整流回路、コンデンサ、及びＤＣ／ＤＣコンバータ等を備えている。整流回路は、発電デバイス６が生成した交流電圧を整流する。コンデンサは、整流回路の出力端間に電気的に接続されており、整流回路の出力電圧を平滑する。ＤＣ／ＤＣコンバータは、コンデンサの両端間に電気的に接続されており、コンデンサの両端電圧を所定の直流電圧に変換して制御回路７２、及び送信回路７３に出力する。
【００３７】
制御回路７２は、第１スイッチ７０Ａ及び第２スイッチ７０Ｂの状態を検出することにより、第１操作部３Ａと第２操作部３Ｂとのうち、どちらの操作部が押されたかを判断する。制御回路７２は、第１操作部３Ａが押された場合、第１情報を含む無線信号を送信回路７３から出力させ、第２操作部３Ｂが押された場合、第２情報を含む無線信号を送信回路７３から出力させる。
【００３８】
つまり、入力装置１では、第１操作部３Ａ又は第２操作部３Ｂが押されると、発電デバイス６が発電する。そして、発電デバイス６が発電した電力を用いて、第１操作部３Ａと第２操作部３Ｂとのうち押された操作部に応じた無線信号が出力される。
【００３９】
発電デバイス６は、筐体２内において、基板７の下方に配置されている。発電デバイス６は、振動体６１と、圧電素子６２と、を有している。
【００４０】
振動体６１は、平面視が略台形の板状に形成されており、右端部における前後方向の寸法が、左端部における前後方向の寸法よりも短い。振動体６１は、弾性を有する板材、例えば、ステンレス（ＳＵＳ３０４）などの金属板で構成されている。圧電素子６２は、振動体６１の厚さ方向（上下方向）の両面に設けられている。圧電素子６２は、例えば、接着により振動体６１に張り付けられている。これにより、振動体６１と圧電素子６２とが一体に構成されている。
【００４１】
振動体６１は、長手方向（左右方向）の一端部（本実施形態では左端部）を固定端、他端部（本実施形態では右端部）を自由端とする、片持ち梁構造である。片持ち梁状の振動体６１が撓むことにより、振動体６１の厚さ方向である上下方向において、自由端である振動体６１の右端部が振動可能である。そして、振動体６１が上下方向に振動することで、圧電素子６２に歪みが加えられて、圧電素子６２が電力を発生する。つまり、上下方向（振動方向）における振動体６１の振動エネルギーが、圧電素子６２において電気エネルギーに変換される。
【００４２】
本実施形態では、振動体６１の固定端側の端部（左端部）が下カバー２２に固定されることにより、筐体２に保持されている。具体的には、下カバー２２の底部２２０に設けられた支持台２２３と、取付板６４との間に、振動体６１の左端部が上下方向に挟まれるようにして、振動体６１が筐体２に保持される。また、振動体６１には、振動体６１を厚さ方向（上下方向）に貫通する一対の貫通孔が形成されている。取付板６４は、振動体６１に形成された一対の貫通孔を通して、一対の取付ねじ６５で支持台２２３に固定される。
【００４３】
発電デバイス６は、導電性を有する一対の第１接点ばね６７、及び一対の第２接点ばね６８を介して基板７と電気的に接続されている。一対の第１接点ばね６７は、振動体６１に設けられたばね保持部６６によって保持されている。ばね保持部６６は、振動体６１の上面において、取付板６４の左側に設けられている。ばね保持部６６は、ばね保持部６６を上下方向に貫通する一対の貫通孔に一対の第１接点ばね６７が嵌まることにより、一対の第１接点ばね６７を保持している。一対の第１接点ばね６７は、振動体６１の上面側に設けられた圧電素子６２と、基板７の下面とで上下方向に挟まれている。一対の第２接点ばね６８は、一方の第２接点ばね６８が振動体６１の下面側に設けられた圧電素子６２と、下カバー２２の底部２２０とで上下方向に挟まれ、他方の第２接点ばね６８が下カバー２２の底部２２０と、基板７の下面とで上下方向に挟まれている。一対の第２接点ばね６８は、連結されており、互いに電気的に接続されている。上記構成により、振動体６１の両面に設けられた圧電素子６２が、一対の第１接点ばね６７、及び一対の第２接点ばね６８を介して、基板７と電気的に接続されている。
【００４４】
発電デバイス６は、磁性おもり６３を更に備えている。磁性おもり６３は、振動体６１の自由端側の端部（右端部）の上面に設けられている。磁性おもり６３は、たとえば、接着、溶接等により振動体６１に固定されている。磁性おもり６３は、平面視が前後方向に長い矩形板状に形成されている。磁性おもり６３は、例えば、ステンレス（ＳＵＳ４３０）などの磁性を有する金属板で構成されている。振動体６１の自由端に設けられた磁性おもり６３の重量により、振動体６１の振動数の増加を図ることができる。
【００４５】
第１回転部材４は、下カバー２２の底部２２０に設けられた一対の第１支持部２２１に取り付けられている。第１回転部材４は、第１操作部３Ａ及び第２操作部３Ｂの移動に連動して、前後方向に沿った第１回転軸Ｚ１（図４Ａ〜図４Ｃ参照）を中心に回転するように構成されている。また、第１回転部材４は、磁石４４を保持している。磁石４４は、発電デバイス６の磁性おもり６３と磁気的に結合されている。第１回転部材４が回転すると、磁石４４と共に磁性おもり６３が下方に移動する。これにより、振動体６１を撓めて振動させることができる。
【００４６】
具体的には、第１回転部材４は、底部４１と、一対の取付片４２と、一対の保持片４３と、を有している。
【００４７】
底部４１は、平面視が略台形の板状に形成されており、右端部における前後方向の寸法が、左端部における前後方向の寸法よりも短い。底部４１は、上下方向を厚さ方向とし、発電デバイス６の振動体６１と、下カバー２２の底部２２０との間に位置する。
【００４８】
一対の取付片４２は、底部４１の前後両側に形成されている。一対の取付片４２は、前後方向を厚さ方向とする板状に形成されている。一対の取付片４２は、それぞれ底部４１の左端部から上方向及び左方向に突出するように形成されている。一対の取付片４２は、それぞれ底部４１よりも左側の部位において前後方向に貫通する円形の貫通孔４２１が形成されている。下カバー２２に設けられた一対の第１支持部２２１の各々には、円柱状の突起２２４が形成されている。一対の第１支持部２２１のうち、前側の第１支持部２２１における突起２２４は、前方に突出するように形成され、後側の第１支持部２２１における突起２２４は、後方に突出するように形成されている。第１回転部材４は、一対の取付片４２に形成された一対の貫通孔４２１に、一対の第１支持部２２１に設けられた一対の突起２２４が嵌まることにより、下カバー２２に取り付けられる。第１回転部材４は、一対の貫通孔４２１の各々の中心を通る前後方向に沿った第１回転軸Ｚ１を中心にして回転可能に構成される。したがって、第１回転部材４の底部４１は、発電デバイス６の振動体６１と、下カバー２２の底部２２０との間で上下方向に移動する。
【００４９】
一対の保持片４３は、底部４１の前後両側に形成されている。一対の保持片４３は、前後方向を厚さ方向とする板状に形成されている。一対の保持片４３は、それぞれ底部４１の右端部から上方に突出するように形成されている。
【００５０】
一対の保持片４３は、一対の取付片４２よりも右側、かつ一対の取付片４２よりも内側に形成されている。具体的には、一対の保持片４３は、一対の取付片４２よりも右側の位置であって、かつ前後方向における一対の取付片４２の間の位置に形成されている。
【００５１】
一対の保持片４３には、底部４１よりも上側の部位において、前後方向に貫通する矩形状の貫通孔４３１が形成されている。磁石４４は、前後方向を長手方向とする矩形板状に形成されている。磁石４４は、一対の保持片４３に形成された一対の貫通孔４３１を通るようにして、一対の保持片４３に保持されている。つまり、磁石４４は、上下方向において底部４１と発電デバイス６の振動体６１との間に保持されている。磁石４４は、上下方向の両面を磁極面とするように構成されている。したがって、磁石４４と振動体６１の自由端に設けられた磁性おもり６３とが、磁気的に結合される。これにより、第１回転部材４の回転に伴って、磁石４４、及び磁石４４に磁気吸着された磁性おもり６３が移動することにより、振動体６１が撓められる。振動体６１を振動させる詳細な動作については後述する。
【００５２】
下カバー２２の底部２２０には、規制片２２５が設けられている。規制片２２５は、振動体６１の自由端（右端）における可動範囲の下限位置を規制する。規制片２２５は、下カバー２２の底部２２０から上方に突出するように前後方向に沿って形成されている。第１回転部材４の底部４１には、規制片２２５に対応する位置に矩形状の貫通孔４１１が形成されている。規制片２２５は、貫通孔４１１を通って先端部（上端部）が振動体６１と接触することにより、振動体６１の自由端における可動範囲の下限位置を規制する。
【００５３】
また、第１回転部材４の底部４１と、下カバー２２の底部２２０との間には、一対の復帰ばね４０が配置されている。一対の復帰ばね４０は、コイルばねであって、前後方向に並んで配置されている。一対の復帰ばね４０は、第１回転部材４の底部４１と、下カバー２２の底部２２０とで挟まれている。一対の復帰ばね４０は、第１回転部材４が可動範囲の上限位置となるように、第１回転部材４に対して弾性力を作用させる。以下では、第１回転部材４における可動範囲の上限位置を「第１始端位置」という（図４Ａ、図５Ａ、図６Ａ参照）。
【００５４】
一対の保持片４３における上端部には、一対の第１受圧部４３２が設けられている。一対の第１受圧部４３２は、一対の保持片４３の上端部から上方に突出するように形成されている。つまり、一対の第１受圧部４３２は、基板７及び発電デバイス６に対して前後方向の両側に設けられている。一対の第１受圧部４３２は、上面が湾曲している。一対の第１受圧部４３２は、第１操作部３Ａの押圧片３２Ａと接触している。一対の第１受圧部４３２は、第１操作部３Ａが押されると押圧片３２Ａから下向きの力を受ける。これにより、第１回転部材４は、第１回転軸Ｚ１を中心にして、一対の復帰ばね４０を圧縮しながら可動範囲の下端位置まで回転移動する。以下では、第１回転部材４における可動範囲の下限位置を「第１終端位置」という（図４Ｃ、図５Ｂ、図６Ｂ参照）。
【００５５】
つまり、第１回転部材４は、第１操作部３Ａが押されると、第１回転軸Ｚ１を中心にして、第１回転軸Ｚ１に沿った方向の一方（前方）から見て時計回りの向きに回転する（図４Ａ〜図４Ｃ、図５Ａ、図５Ｂ参照）。
【００５６】
また、第１回転部材４は、一対の第２受圧部４２２をさらに有している。一対の第２受圧部４２２は、一対の取付片４２における右端側の上端部である。一対の第２受圧部４２２は、第２回転部材５が有する一対の押圧部５２２と接触している。一対の第２受圧部４２２は、第２操作部３Ｂが押されると第２回転部材５から下向きの力を受ける。これにより、第１回転部材４は、第１回転軸Ｚ１を中心にして、一対の復帰ばね４０を圧縮しながら可動範囲の下端位置（第１終端位置）まで回転移動する。
【００５７】
第２回転部材５は、ケース２１の内面に取り付けられている。第２回転部材５は、第２操作部３Ｂの移動に連動して、前後方向に沿った第２回転軸Ｚ２（図６Ａ、図６Ｂ参照）を中心に回転するように構成されている。第２回転部材５が回転すると、第１回転部材４は、第２受圧部４２２が押されて回転する。つまり、第２操作部３Ｂが押されると、第１回転部材４と第２回転部材５との両方が回転する。これにより、振動体６１を撓めて振動させることができる。
【００５８】
具体的には、第２回転部材５は、連結部５１と、一対の取付片５２と、一対の受圧片５３と、を有している。
【００５９】
連結部５１は、平面視が矩形の板状に形成されており、連結部５１の前後両側に形成された一対の取付片５２を連結している。連結部５１は、基板７と、ケース２１における上側の内面との間に位置する。
【００６０】
一対の取付片５２は、連結部５１の前後両側に形成されている。一対の取付片５２は、前後方向を厚さ方向とする板状に形成されている。一対の取付片５２は、前後両端から下方向に突出するように形成されている。一対の取付片５２は、第１回転部材４における一対の保持片４３よりも外側に形成されている。具体的には、一対の取付片５２は、前後方向における一対の取付片５２間に第１回転部材４の一対の保持片４３が位置するように形成されている。一対の取付片５２は、前後方向に貫通する円形の貫通孔５２１が形成されている。ケース２１は、前後両側の内面に円柱状の一対の突起が形成されている。第２回転部材５は、一対の取付片５２に形成された一対の貫通孔５２１に、ケース２１の前後両側の内面に形成された一対の突起が嵌まることにより、ケース２１に取り付けられる。第２回転部材５は、一対の貫通孔５２１の各々の中心を通る前後方向に沿った第２回転軸Ｚ２を中心にして回転可能に構成される。
【００６１】
また、連結部５１及び一対の取付片５２にわたって前後方向に沿った開口部５０が形成されている。第１操作部３Ａは、開口部５０の内側に配置されている。第１操作部３Ａは、開口部５０内において上下方向に移動して第１回転部材４の第１受圧部４３２を押すことができる。
【００６２】
一対の受圧片５３は、一対の取付片４２の左端部から左方に突出するように形成されている。一対の受圧片５３は、先端部（左端部）が上方に突出するように形成されている。一対の受圧片５３の先端部は、上面が湾曲しており、第２操作部３Ｂの押圧片３２Ｂと接触している。一対の受圧片５３は、第２操作部３Ｂが押されると押圧片３２Ｂから下向きの力を受ける。これにより、第２回転部材５は、第２回転軸Ｚ２を中心にして、可動範囲の上限位置から下限位置まで回転移動する。以下では、第２回転部材５における可動範囲の上限位置を「第２始端位置」、下限位置を「第２終端位置」という（図６Ａ、図６Ｂ参照）。一対の受圧片５３は、第１回転部材４における一対の取付片４２よりも内側に形成されている。具体的には、一対の受圧片５３は、前後方向における一対の取付片４２の間の位置に形成されている。したがって、一対の受圧片５３は、第２操作部３Ｂに押されて下方に移動した場合に、第１回転部材４の一対の取付片４２と干渉しない。
【００６３】
つまり、第２回転部材５は、第２操作部３Ｂが押されると、第２回転軸Ｚ２を中心にして、第２回転軸Ｚ２に沿った方向の一方（前方）から見て反時計回りの向きに回転する（図６Ａ、図６Ｂ参照）。
【００６４】
また、第２回転部材５は、一対の押圧部５２２をさらに有している。一対の押圧部５２２は、一対の取付片５２の左端部から下方に突出するように形成されており、下面が湾曲している。一対の押圧部５２２は、第１回転部材４における一対の第２受圧部４２２と接触している。第２回転部材５が第２操作部３Ｂに押されて回転すると、一対の押圧部５２２が下方に移動する。これにより、一対の押圧部５２２は、第１回転部材４の一対の第２受圧部４２２に対して下向きの力を作用させる。第１回転部材４は、一対の第２受圧部４２２が下向きの力を受けることによって回転する。詳しくは後述するが、第２操作部３Ｂが押されると、第２回転部材５を介して第１回転部材４が間接的に押されて回転することとなる。
【００６５】
（動作）
以下に、本実施形態における入力装置１の動作について説明する。まず、発電デバイス６における発電動作について図４Ａ〜図４Ｃを参照して説明する。図４Ａは、第１回転部材４が第１始端位置にある状態を示し、図４Ｂは、第１回転部材４が第１始端位置と第１終端位置との間の位置にある状態を示し、図４Ｃは、第１回転部材４が第１終端位置にある状態を示している。なお、図４Ａ〜図４Ｃでは、ケース２１、第１操作部３Ａ、第２操作部３Ｂ、第２回転部材５などの記載を適宜省略している。
【００６６】
図４Ａに示すように、第１回転部材４が第１始端位置にある場合、第１回転部材４が保持している磁石４４に振動体６１の自由端に設けられた磁性おもり６３が磁気吸着されている。
【００６７】
第１操作部３Ａ又は第２操作部３Ｂが押されると、第１回転部材４は、第１回転軸Ｚ１を中心にして、前方から見て時計回りの向きに回転する。第１回転部材４の回転に伴って、磁石４４、及び磁石４４に磁気吸着されている磁性おもり６３が下向きに移動する（図４Ｂ参照）。つまり、振動体６１は、磁性おもり６３が設けられた自由端（右端）に下向きの力が加えられる。これにより、振動体６１は、自由端（右端）が固定端（左端）よりも下方に位置するように撓められる。
【００６８】
振動体６１は、撓められることにより、第１回転部材４の底部２２０に形成された貫通孔４１１を通って上方に突出した規制片２２５と接触する（図４Ｂ参照）。これにより、振動体６１の自由端における可動範囲の下限位置が規制される。言い換えれば、規制片２２５により、振動体６１の撓み量が規制される。
【００６９】
そして、図４Ｃに示すように、第１回転部材４が第１終端位置まで移動すると、磁石４４がさらに下方に移動する。しかし、振動体６１は、規制片２２５によって自由端の下方への移動が規制されている。したがって、磁石４４と磁性おもり６３との間の磁気吸着が解除される。つまり、振動体６１の自由端（右端）に加えられていた下向きの力が解除される。これにより、振動体６１は、振動体６１の弾性力によって、自由端（右端）が上下方向に往復移動するように振動する。振動体６１が振動することによって、振動体６１に設けられた圧電素子６２に歪みが繰り返し加えられて、圧電素子６２が電力を発生する。
【００７０】
第１操作部３Ａ又は第２操作部３Ｂが押される力が解除されると、一対の復帰ばね４０の弾性力によって第１回転部材４が第１終端位置から第１始端位置に移動する。第１回転部材４が第１始端位置に復帰することによって、磁石４４と磁性おもり６３とが磁気吸着して、振動体６１の振動が停止する。
【００７１】
このように、第１回転部材４が、第１回転軸Ｚ１を中心にして、第１始端位置（図４Ａ参照）から第１終端位置（図４Ｃ参照）に回転することによって、発電デバイス６が発電を行う。
【００７２】
次に、第１操作部３Ａが押された場合の動作について、図５Ａ、図５Ｂを参照して説明する。図５Ａは、第１操作部３Ａが押されていない基準位置にある状態を示し、図５Ｂは、第１操作部３Ａが押された操作位置にある状態を示している。なお、図５Ａ、図５Ｂでは、ケース２１等の記載を適宜省略している。
【００７３】
第１操作部３Ａは、第１操作部３Ａが押されていない定常状態では、第１ばね３０Ａの弾性力によって可動範囲の上端位置（基準位置）に位置する（図５Ａ参照）。このとき、第１回転部材４は、一対の復帰ばね４０の弾性力によって第１始端位置に位置している。
【００７４】
そして、第１操作部３Ａが押されると、押圧片３２Ａから第１回転部材４の一対の第１受圧部４３２に対して下向きの力が加えられる。第１回転部材４は、一対の第１受圧部４３２に対して下向きの力が加えられることによって、第１回転軸Ｚ１を中心にして、第１始端位置（図５Ａ参照）から第１終端位置（図５Ｂ参照）に回転する。つまり、第１操作部３Ａは、押されると、第１回転部材４に対して、第１回転部材４を回転させる力を直接的に伝達する。ここでいう「直接的」とは、第１操作部３Ａと第１回転部材４とが接触した状態で、第１操作部３Ａから第１回転部材４に力が伝達されることを示す。このとき、第１操作部３Ａから第２回転部材５には、力が伝達されていないため、第２回転部材５は、回転しない、つまり第２始端位置のままである。
【００７５】
このように、第１操作部３Ａが押されると、第１操作部３Ａに加わる下向きの力が、第１回転部材４に直接的に伝達される。これにより、第１回転部材４が第１始端位置から第１終端位置に回転して、発電デバイス６が発電を行う（図４Ａ〜図４Ｃ参照）。
【００７６】
本実施形態では、第１操作部３Ａは、押圧片３２Ａから第１回転部材４における前後方向に並ぶ一対の第１受圧部４３２に対して力を加えている。これにより、第１回転部材４が前後方向に傾斜せず安定して回転させることができる。
【００７７】
次に、第２操作部３Ｂが押された場合の動作について、図６Ａ、図６Ｂを参照して説明する。図６Ａは、第２操作部３Ｂが押されていない基準位置にある状態を示し、図６Ｂは、第２操作部３Ｂが押された操作位置にある状態を示している。なお、図６Ａ、図６Ｂでは、ケース２１等の記載を適宜省略している。
【００７８】
第２操作部３Ｂは、第２操作部３Ｂが押されていない定常状態では、第２ばね３０Ｂの弾性力によって可動範囲の上端位置（基準位置）に位置する（図６Ａ参照）。このとき、第１回転部材４は、一対の復帰ばね４０の弾性力によって第１始端位置に位置している。また、第１回転部材４の一対の第２受圧部４２２と、第２回転部材５の一対の押圧部５２２とが接触している。したがって、一対の復帰ばね４０の弾性力は、第１回転部材４を介して第２回転部材５に伝達される。これにより、第２回転部材５は、可動範囲の上限位置である第２始端位置に位置している。
【００７９】
そして、第２操作部３Ｂが押されると、押圧片３２Ｂから第２回転部材５の一対の受圧片５３に対して下向きの力が加えられる。第２回転部材５は、一対の受圧片５３に対して下向きの力が加えられることによって、第２回転軸Ｚ２を中心にして、第２始端位置（図６Ａ参照）から第２終端位置（図６Ｂ参照）に回転する。また、第２回転部材５が回転すると、一対の押圧部５２２から第１回転部材４の一対の第２受圧部４２２に対して下向きの力が加えられる。第１回転部材４は、一対の第２受圧部４２２に対して下向きの力が加えられることによって、第１回転軸Ｚ１を中心にして、第１始端位置（図６Ａ参照）から第１終端位置（図６Ｂ参照）に回転する。
【００８０】
つまり、第２操作部３Ｂは、押されると、第１回転部材４に対して、第２回転部材５を介して第１回転部材４を回転させる力を間接的に伝達する。したがって、第２操作部３Ｂが押されると、第１回転部材４と第２回転部材５との両方が回転する。
【００８１】
このように、第２操作部３Ｂが押されると、第２操作部３Ｂに加わる下向きの力が、第２回転部材５を介して第１回転部材４に間接的に伝達される。これにより、第１回転部材４が第１始端位置から第１終端位置に回転して、発電デバイス６が発電を行う（図４Ａ〜図４Ｃ参照）。
【００８２】
本実施形態では、第２操作部３Ｂは、押圧片３２Ｂから第２回転部材５における前後方向に並ぶ一対の受圧片５３に対して力を加えている。これにより、第２回転部材５が前後方向に傾斜せず安定して回転させることができる。また、第２回転部材５は、前後方向に並ぶ一対の押圧部５２２から、第１回転部材４における前後方向に並ぶ一対の第２受圧部４２２に対して力を加えている。これにより、第１回転部材４が前後方向に傾斜せず安定して回転させることができる。
【００８３】
次に、第１操作部３Ａ及び第２操作部３Ｂを押す力（操作力）について説明する。
【００８４】
以下では、第１回転部材４を第１始端位置から第１終端位置まで回転させるために必要な第１操作部３Ａを押す力を第１操作力という。また、第１回転部材４を第１始端位置から第１終端位置まで回転させるために必要な第２操作部３Ｂを押す力を第２操作力という。
【００８５】
本実施形態では、第１操作部３Ａから第１回転部材４に対して直接的に力を加え、第２操作部３Ｂから第２回転部材５を介して第１回転部材４に対して間接的に力を加えるように構成されている。したがって、第１操作部３Ａ、第２操作部３Ｂ、第１回転部材４、及び第２回転部材５それぞれの位置関係を調整することにより、第１操作力及び第２操作力を調整することができる。
【００８６】
具体的には、上述したように、第１回転部材４が第１始端位置から第１終端位置に回転する向き（前方から見て時計回りの向き）と、第２回転部材５が第２始端位置から第２終端位置に回転する向き（前方から見て反時計回りの向き）とが、互いに逆である。第１回転部材４の一対の第２受圧部４２２と、第２回転部材５の一対の押圧部５２２とが接触する接点Ｐ０は、左右方向における第１回転軸Ｚ１と第２回転軸Ｚ２との間に位置している。さらに、左右方向における第１回転軸Ｚ１と第２回転軸Ｚ２との間において、接点Ｐ１及び接点Ｐ２が位置している。接点Ｐ１は、第１回転部材４の一対の第１受圧部４３２と第１操作部３Ａの押圧片３２Ａとが接触する接点である。接点Ｐ２は、第２回転部材５の一対の受圧片５３と第２操作部３Ｂの押圧片３２Ｂとが接触する接点である。また、左右方向において、第１回転部材４と第１操作部３Ａとの接点Ｐ１と、第２回転部材５と第２操作部３Ｂとの接点Ｐ２との間に、第１回転部材４と第２回転部材５との接点Ｐ０が位置している。
【００８７】
つまり、接点Ｐ０に対して、左右方向の一方側（左側）に、第１回転部材４の第１回転軸Ｚ１が位置し、左右方向の他方側（右側）に、第１回転部材４と第１操作部３Ａとの接点Ｐ１が位置している。また、接点Ｐ０に対して、左右方向の一方側（左側）に、第２回転部材５と第２操作部３Ｂとの接点Ｐ２が位置し、左右方向の他方側（右側）に、第２回転部材５の第２回転軸Ｚ２が位置している。
【００８８】
左右方向において、第１回転部材４と第２回転部材５との接点Ｐ０と、第１回転部材４の第１回転軸Ｚ１との間の距離をＬ１１とする。左右方向において、第１回転部材４と第２回転部材５との接点Ｐ０と、第２回転部材５の第２回転軸Ｚ２との間の距離をＬ１２とする。左右方向において、第１回転部材４の第１回転軸Ｚ１と、第１回転部材４と第１操作部３Ａとの接点Ｐ１との間の距離をＬ２１とする。左右方向において、第２回転部材５の第２回転軸Ｚ２と、第２回転部材５と第２操作部３Ｂとの接点Ｐ２との間の距離をＬ２２とする。
【００８９】
距離Ｌ１１，Ｌ１２，Ｌ２１，Ｌ２２を調整することにより、第１操作部３Ａ及び第２操作部３Ｂを押した際の力のモーメントを調整することができる。したがって、距離Ｌ１１，Ｌ１２，Ｌ２１，Ｌ２２を調整することにより、第１操作部３Ａを押操作する第１操作力、及び第２操作部を押操作する第２操作力との差を低減することができる。
【００９０】
本実施形態では、第１操作力と第２操作力とが等しくなるように、距離Ｌ１１，Ｌ１２，Ｌ２１，Ｌ２２が以下のように設定されている。ただし、ここでいう「等しい」とは、厳密に等しい状態だけでなく、ある程度の誤差の範囲内で略等しい状態も含む。
【００９１】
本実施形態では、左右方向において、接点Ｐ０と第１回転軸Ｚ１との間の距離Ｌ１１と、接点Ｐ０と第２回転軸Ｚ２との間の距離Ｌ１２とが、同じとなるように構成されている。さらに、左右方向において、第１回転軸Ｚ１と接点Ｐ０との間の距離Ｌ２１と、第２回転軸Ｚ２と接点Ｐ２との間の距離Ｌ２２とが、同じとなるように構成されている。
【００９２】
上記のように構成されていることによって、第１操作部３Ａを押して第１回転部材４を第１始端位置から第１終端位置まで回転させる力のモーメントと、第２操作部３Ｂを押して第１回転部材４を第１始端位置から第１終端位置まで回転させる力のモーメントとが釣り合う。これにより、第１操作力と第２操作力とが等しくなる。
【００９３】
なお、距離Ｌ１１と距離Ｌ１２との大小関係、及び距離Ｌ２１と距離Ｌ２２との大小関係を調整することにより、一方の操作力が他方の操作力よりも大きくなる（小さくなる）ように調整することができる。
【００９４】
次に、操作部（第１操作部３Ａ、第２操作部３Ｂ）を押した際のクリック率について説明する。クリック率とは、操作部を押している途中での操作力が急激に変化する前後の比率である。上述したように、第１操作力と第２操作力とが略同じであり、第１操作部３Ａを押した際のクリック率と第２操作部３Ｂを押した際のクリック率とが略同じである。したがって、ここでは、第１操作部３Ａを押した際のクリック率について説明し、第２操作部３Ｂを押した際のクリック率の説明を省略する。
【００９５】
磁石４４と磁性おもり６３とが磁気吸着されている場合（図４Ｂ参照）、第１操作力は、主に、一対の復帰ばね４０の弾性力、第１ばね３０Ａの弾性力、及び振動体６１の弾性力によって定まる。ここでは、磁石４４と磁性おもり６３との間の磁気吸着力を無視する。磁石４４と磁性おもり６３との間の磁気吸着が解除された場合（図４Ｃ参照）、第１操作力は、主に、一対の復帰ばね４０の弾性力、及び第１ばね３０Ａの弾性力によって定まる。つまり、磁石４４と磁性おもり６３との磁気吸着が解除されると、第１操作力から振動体６１の弾性力がなくなるため、第１操作力が急激に低減する。したがって、第１操作力における振動体６１の弾性力の有無がクリック感として得られる。
【００９６】
本実施形態では、振動体６１の弾性力に比べて、一対の復帰ばね４０の弾性力及び第１ばね３０Ａの弾性力が小さくなるように構成されている。これにより、クリック率を高めることができる。
【００９７】
次に、操作部（第１操作部３Ａ、第２操作部３Ｂ）が押された際における、スイッチ（第１スイッチ７０Ａ、第２スイッチ７０Ｂ）がオンするタイミングと、発電デバイス６が発電を開始するタイミングとの関係について、図７を参照して説明する。第１操作部３Ａが押された際に、第１スイッチ７０Ａがオンするタイミングと、発電デバイス６が発電を開始するタイミングとの関係は、第２操作部３Ｂが押された際に、第２スイッチ７０Ｂがオンするタイミングと、発電デバイス６が発電を開始するタイミングとの関係と同じである。したがって、ここでは、第１操作部３Ａが押された際における第１スイッチ７０Ａがオンするタイミングと、発電デバイス６が発電を開始するタイミングとの関係のみについて説明する。
【００９８】
第１スイッチ７０Ａと第１操作部３Ａとの間には、第１ばね３０Ａが配置されている。第１操作部３Ａが押されると、第１ばね３０Ａが圧縮し、第１操作部３Ａに加えられた下向きの力が第１ばね３０Ａを介して第１スイッチ７０Ａに伝達されて、第１スイッチ７０Ａがオンとなる。したがって、第１ばね３０Ａの弾性力を調整することによって、第１操作部３Ａが押された際における第１スイッチ７０Ａがオンするタイミングを調整することができる。
【００９９】
本実施形態では、第１スイッチ７０Ａが押された際に、発電デバイス６における発電の開始よりも早いタイミングで、第１スイッチ７０Ａがオンするように、第１ばね３０Ａの弾性力が設定されている。具体的には、第１ばね３０Ａの弾性力は、第１操作部３Ａの操作ストロークが、発電デバイス６が発電を開始するストロークよりも短いストロークで第１スイッチ７０Ａがオンするように設定されている。
【０１００】
図７に示すように、第１操作部３Ａが押されると、第１操作部３Ａの操作ストロークが時間経過に伴って増加する。時点ｔ０において、第１操作部３Ａに対して押す力の印加が開始されたとする。時点ｔ０では、第１操作部３Ａの操作ストロークがゼロであり、第１回転部材４が第１始端位置（図４Ａ参照）に位置する。
【０１０１】
そして、時点ｔ２では、第１操作部３Ａの操作ストロークがＸ２になり、発電デバイス６の振動体６１が規制片２２５と接触する（図４Ｂ参照）。第１操作ストロークがＸ２を超えると、磁石４４と磁性おもり６３との間の磁気吸着が解除されて、振動体６１が振動する、つまり発電デバイス６が発電を開始する。時点ｔ３では、第１操作部３Ａの操作ストロークが上限のＸ３になり、第１回転部材４が第１終端位置（図４Ｃ参照）に位置する。
【０１０２】
第１ばね３０Ａの弾性力は、第１操作部３Ａの操作ストロークが、Ｘ２よりも短いＸ１で第１スイッチ７０Ａがオンするように設定されている。これにより、発電デバイス６が発電を開始する時点ｔ２よりも早い時点ｔ１において、第１スイッチ７０Ａがオンする。
【０１０３】
このように、本実施形態では、第１操作部３Ａが押された際に、発電デバイス６が発電を開始するタイミングよりも前に、第１スイッチ７０Ａがオンするように構成されている。同様に第２操作部３Ｂが押された際に、発電デバイス６が発電を開始するタイミングよりも前に、第２スイッチ７０Ｂがオンするように構成されている。
【０１０４】
発電デバイス６が発電を開始した後にスイッチがオンする構成である場合、操作部が押されている時間が短くなると、基板７に設けられた制御回路７２が起動した時点で、スイッチがオフになっているおそれがある。この場合、制御回路７２は、第１操作部３Ａと第２操作部３Ｂとのどちらの操作部が押されたかを判断することができなくなる。
【０１０５】
本実施形態では、発電デバイス６が発電を開始する前に第１スイッチ７０Ａ又は第２スイッチ７０Ｂがオンするように構成されている。これにより、発電デバイス６が発電を開始したタイミングでは、第１スイッチ７０Ａ又は第２スイッチ７０Ｂがオンされた状態となる。つまり、基板７に設けられた制御回路７２の起動時において、第１スイッチ７０Ａ又は第２スイッチ７０Ｂがオン状態である。したがって、制御回路７２は、第１操作部３Ａと第２操作部３Ｂとのうち、どちらの操作部が押されたかを検出することができ、押された操作部に応じた無線信号を送信回路から出力させることができる。
【０１０６】
（変形例）
（第１変形例）
次に、第１変形例に係る入力装置１ａについて図８、図９Ａ、及び図９Ｂを参照して説明する。
【０１０７】
本変形例の入力装置１ａは、第１操作部３Ａ及び第２操作部３Ｂに加えて、第３操作部３Ｃを備えている点が、上記実施形態の入力装置１と異なる。以下の本変形例の入力装置１ａの説明では、上記実施形態の入力装置１との相違点について主に説明し、同様の構成については同一符号を付して説明を省略する。
【０１０８】
第１操作部３Ａ及び第２操作部３Ｂが下向きに押される構成であるのに対して、第３操作部３Ｃは、左向きに押されるように構成されている。
【０１０９】
第３操作部３Ｃは、合成樹脂製である。第３操作部３Ｃは、突起３１Ｃと、フランジ３２Ｃと、押圧部３３Ｃと、を有している。フランジ３２Ｃは、左右方向を厚さ方向とする矩形板状に形成されている。突起３１Ｃは、フランジ３２Ｃの右面の中央部から右方に突出する円柱状に形成されている。押圧部３３Ｃは、フランジ３２Ｃの下端部から左方に突出するように形成されている。押圧部３３Ｃは、フランジ３２Ｃから離れるにつれて上方に向かうように傾斜した傾斜面３３１Ｃを有している。
【０１１０】
第３操作部３Ｃは、ケース２１の右面に形成された貫通孔を突起３１Ｃが左側から貫通するように、ケース２１に組み付けられている。これにより、突起３１Ｃの先端部（右端部）は、貫通孔を通して筐体２の上面から左方に突出する。
【０１１１】
また、ケース２１の右面において、突起３１Ｃが貫通する貫通孔の周縁部には防水ゴム２３Ｃが設けられている。防水ゴム２３Ｃは、防水ゴム２３Ａ，２３Ｂと同じ構成であり、突起３１Ｃ及び突起３１Ｃが貫通する貫通孔を覆っている。
【０１１２】
筐体２内には、第３操作部３Ｃに対応する第３スイッチ７０Ｃ及び第３ばね３０Ｃが収納されている。
【０１１３】
第３スイッチ７０Ｃは、第３操作部３Ｃの突起３１Ｃの左方の位置に配置されている。第３スイッチ７０Ｃは、操作面が右面となるように基板７に実装されている。突起３１Ｃと第３スイッチ７０Ｃとの間には、第３ばね３０Ｃが配置されている。
【０１１４】
第３操作部３Ｃは、ユーザの操作に応じて、左右方向に沿って基準位置と操作位置との間を直進移動する。そして、第３操作部３Ｃが、定常状態となる基準位置にあれば第３スイッチがオフになり、第３操作部３Ｃが操作位置にあれば第３スイッチ７０Ｃがオンとなる。このようにして、第３操作部３Ｃ及び第３スイッチ７０Ｃは、第３操作部３Ｃが押されている間だけ第３スイッチ７０Ｃがオン状態になるモーメンタリ型の押ボタンスイッチを構成する。
【０１１５】
本変形例の入力装置１ａでは、第１回転部材４は、第３受圧部４５を有している。第３受圧部４５は、第１回転部材４の底部４１から右方に突出するように形成されている（図９Ａ、図９Ｂ参照）。第３受圧部４５は、第３操作部３Ｃの押圧部３３Ｃにおける傾斜面３３１Ｃと対向するように、左右方向に対して傾斜した傾斜面４５１を有している。第３受圧部４５は、傾斜面４５１が押圧部３３Ｃの傾斜面３３１Ｃと接触している。
【０１１６】
以下に、第３操作部３Ｃが押された場合の動作について、図９Ａ、図９Ｂを参照して説明する。図９Ａでは、第３操作部３Ｃが押されていない基準位置にある状態を示し、図９Ｂは、第３操作部３Ｃが押された操作位置にある状態を示している。なお、図９Ａ、図９Ｂでは、ケース２１、第１操作部３Ａ、第２操作部３Ｂ、第２回転部材５等の記載を適宜省略している。
【０１１７】
第３操作部３Ｃは、第３操作部３Ｃが押されていない定常状態では、第３ばね３０Ｃの弾性力によって可動範囲の右端位置（基準位置）に位置する（図９Ａ参照）。このとき、第１回転部材４は、一対の復帰ばね４０の弾性力によって第１始端位置に位置している。
【０１１８】
そして、第３操作部３Ｃが左方に向かって押されると、押圧部３３Ｃの傾斜面３３１Ｃ及び第３受圧部４５の傾斜面４５１によって、第３操作部３Ｃに加えられる左向きの力が下向きの力に変換されて第１回転部材４に伝達される。これにより、第１回転部材４は、第１回転軸Ｚ１を中心にして、第１始端位置（図９Ａ参照）から第１終端位置（図９Ｂ参照）に回転する。つまり、第３操作部３Ｃは、押されると、第１回転部材４に対して第１回転部材４を回転させる力を直接的に伝達する。第１回転部材４が第１始端位置から第１終端位置に回転することによって、発電デバイス６が発電を行う。
【０１１９】
また、第３操作部３Ｃが押された場合、第１操作部３Ａ又は第２操作部３Ｂが押された場合と同様に、発電デバイス６が発電を開始するよりも早いタイミングで第３スイッチがオンするように、第３ばね３０Ｃの弾性力が設定されている。
【０１２０】
また、第１回転部材４を第１始端位置から第１終端位置まで回転させるために必要な第３操作部３Ｃを押す力を第３操作力とする。第３操作力は、押圧部３３Ｃの傾斜面３３１Ｃ、及び第３受圧部４５の傾斜面４５１の傾斜角度によって調整することができる。したがって、押圧部３３Ｃの傾斜面３３１Ｃ、及び第３受圧部４５の傾斜面４５１の傾斜角度を調整することにより、第１操作力、第２操作力、及び第３操作力の大きさを互いに等しくすることができる。
【０１２１】
なお、本変形例では、第３操作部３Ｃが、第１回転部材４に対して直接的に力を加えて第１回転部材４を回転させるように構成されているが、これに限らない。第３操作部３Ｃは、第１回転部材４に対して間接的に力を加えて、第１回転部材４を回転させるように構成されていてもよい。例えば、第３操作部３Ｃは、第２回転部材５を介して第１回転部材４に間接的に力を加えて第１回転部材４を回転させるように構成されていてもよい。
【０１２２】
また、本変形例では、第３操作部３Ｃが、左向きに押されるように構成されているが、押される向きは左向きに限らず、右向き、前向き、後ろ向き等に押されるように構成されていてもよい。例えば、第３操作部３Ｃは、右向きに押されるように構成され、第２回転部材５を介して第１回転部材４に力を加えて第１回転部材４を回転させるように構成されていてもよい。
【０１２３】
（第２変形例）
次に、第２変形例に係る入力装置１ｂについて、図１０〜１８Ｂを参照しながら説明する。本変形例の入力装置１ｂは、主な相違点として以下の第１〜第４の相違点で、上記実施形態の入力装置１と異なる。以下の入力装置１ｂの説明では、上記実施形態の入力装置１に対して、実質的に同じ機能又は構造を有している部材については極力同一の符号を付して、適宜に説明を省略する場合もある。
【０１２４】
第１の相違点は、筐体２のケース２１が、上カバー２Ｘとケース本体２Ｙとに分割されている点である（図１０参照）。第２の相違点は、第２操作部３Ｂが第２回転部材５と一体となって形成されている点である（図１０参照）。第３の相違点は、入力装置１ｂが、第１ばね３０Ａ及び第２ばね３０Ｂをそれぞれ個別に覆う第１カバー部Ｔ１及び第２カバー部Ｔ２を更に備えている点である（図１０参照）。第４の相違点は、圧電素子６２と基板７とを電気的に接続するための一対の第１接点ばね６７及び一対の第２接点ばね６８の代わりに、ＦＰＣ（Flexible Printed Circuits）１００を備えている点である（図１０及び図１１参照）。以下、入力装置１ｂについてさらに詳しく説明する。
【０１２５】
［第１の相違点］
入力装置１ｂの筐体２は、合成樹脂製であり、矩形体状に形成されている。入力装置１ｂでは、上述の通り、筐体２のケース２１が、上カバー２Ｘとケース本体２Ｙとに分割されている。言い換えると、筐体２は、上カバー２Ｘとケース本体２Ｙと下カバー２２とを有する。
【０１２６】
上カバー２Ｘは、矩形の略板状に形成されている。上カバー２Ｘは、その下面において下方に突出する複数の差込片を有している。上カバー２Ｘは、複数の差込片をケース本体２Ｙの内側に差し込むことで位置決めされる。
【０１２７】
また上カバー２Ｘは、図１０に示すように、第１操作部３Ａの突起３１Ａが貫通する貫通孔１０１、及び第２操作部３Ｂの突起３１Ｂが貫通する貫通孔１０２を有している。入力装置１ｂは、上カバー２Ｘの上面に配置される防水ゴム２３Ｄを備えている。防水ゴム２３Ｄは、全体として略矩形の板状であり、各々がドーム状に凸となっていて左右方向に並ぶ一対のドーム部２３０を有している。防水ゴム２３Ｄは、上カバー２Ｘの上面において貫通孔１０１及び貫通孔１０２を囲むように下方に凹んだ位置決め溝１０３に嵌められるなどして上カバー２Ｘの上面に一体化され、貫通孔１０１及び貫通孔１０２を覆う。その一体化状態で、防水ゴム２３Ｄの一対のドーム部２３０の内側において下方に突出する一対の凸部２３１（図１６Ａ及び図１６Ｂ参照）が、それぞれ突起３１Ａ及び突起３１Ｂに設けられた一対の孔３１０に挿入されて固定されている。その結果、突起３１Ａ及び突起３１Ｂに対する防水ゴム２３Ｄの位置決めが達成される。
【０１２８】
防水ゴム２３Ｄは、一対のドーム部２３０越しに第１操作部３Ａ及び第２操作部３Ｂをそれぞれ個別に押すことができるように、十分な可撓性を有している。
【０１２９】
ケース本体２Ｙは、上面に開口を有する矩形箱状に形成されている。上カバー２Ｘは、ケース本体２Ｙの開口を塞ぐように取り付けられる。ケース本体２Ｙは、図１２及び図１３に示すように、底部２０１を有している。底部２０１は、ケース本体２Ｙの下端周縁部よりも僅かに上の位置に設けられている。言い換えると、ケース本体２Ｙは、その下面において、下カバー２２が嵌め込まれるための凹所２０２（図１３参照）を有している。
【０１３０】
底部２０１は、図１２に示すように、その上面における左端付近に、ブロック状に上方に突出する突起台２０３を有している。突起台２０３は、一対の取付ねじ６５がそれぞれ挿通される一対の挿通孔２０４を有している。各挿通孔２０４は、底部２０１を厚み方向に貫通する。
【０１３１】
また底部２０１は、図１３に示すように、その下面における左端付近に、各々が対応する挿通孔２０４を囲むように六角形状に凹んだ一対のナット収容部２０５を有している。一対の六角ナットＮ１は、ケース本体２Ｙの下側から、一対のナット収容部２０５にそれぞれ収容される。一対の六角ナットＮ１が一対のナット収容部２０５に収容された状態で、振動体６１の貫通孔を通る各取付ねじ６５が、底部２０１の上側から底部２０１超しに対応する六角ナットＮ１にそれぞれ螺合されることで、発電デバイス６がケース本体２Ｙに固定される。
【０１３２】
ケース本体２Ｙは、図１２に示すように、その内側における前後の側面に、第１回転部材４を回転可能に軸支するための、一対の突起２０６をそれぞれ有している。一対の突起２０６は、前後の側面における左寄りの位置において、互いに近づく方向に突出する。底部２０１は、一対の突起２０６とそれぞれ対向する位置に、第１回転部材４の一部を逃がすための一対の逃がし孔２０７を有している。
【０１３３】
またケース本体２Ｙは、図１２に示すように、その内側における前後の側面に、第２回転部材５を回転可能に軸支するための、一対の突起２０８をそれぞれ有している。一対の突起２０８は、前後の側面における右寄りの位置において、互いに近づく方向に突出する。底部２０１は、一対の突起２０８とそれぞれ対向する位置に、第２回転部材５の回転時に第２回転部材５の一部を逃がすための一対の逃がし孔２０９を有している。
【０１３４】
下カバー２２は、矩形板状の底部２２０を有する。下カバー２２は、図１０に示すように、底部２２０の上面における左右の両端付近に、上方に突出する小突起２２６Ａ及び大突起２２６Ｂを有している。下カバー２２は、小突起２２６Ａ及び大突起２２６Ｂがケース本体２Ｙの下側から底部２０１にある小孔２０３Ａ及び大孔２０３Ｂ（図１３参照）にそれぞれ挿入されることで位置決めされる。
【０１３５】
上カバー２Ｘがケース本体２Ｙの開口の周縁部と接合されて、下カバー２２がケース本体２Ｙの下端の周縁部と接合されて、筐体２を構成している。
【０１３６】
［第２の相違点］
第１操作部３Ａは合成樹脂製である。第１操作部３Ａは、図１０、図１４Ａ及び図１４Ｂに示すように、突起３１Ａと、押圧片３２Ａと、一対の突出片３３Ａとを有している。入力装置１ｂの第１操作部３Ａは、上記実施形態の入力装置１の第１操作部３Ａに比べて、全体的に大きく形成されている。特に入力装置１ｂの突起３１Ａは、押圧片３２Ａから、下面に開口を有した中空の円筒状に突出している。突起３１Ａの内部空間が、後述する第１カバー部Ｔ１と共に第１ばね３０Ａを収容するための収容凹部３０１に相当する。言い換えると、第１操作部３Ａは、その下面において、上方に凹んだ収容凹部３０１を有している。収容凹部３０１は、突起３１Ａの孔３１０と連通している。
【０１３７】
第１操作部３Ａは、収容凹部３０１の内周面の下部に、第１カバー部Ｔ１が引っ掛けられて第１カバー部Ｔ１を保持する複数の爪部３０２を有している。複数の爪部３０２は、収容凹部３０１の中心軸に向かって突出する。
【０１３８】
第２操作部３Ｂは、上述の通り、第２回転部材５と一体となって形成されている。言い換えると、入力装置１ｂは、第２操作部３Ｂと第２回転部材５とが一体となって形成された単一の成形品である操作ブロック体Ｕ１を備えている。したがって、本変形例では、部品点数を削減できて、コストの削減を図ることができる。操作ブロック体Ｕ１は合成樹脂製である。
【０１３９】
具体的には、操作ブロック体Ｕ１は、図１０、図１５Ａ及び図１５Ｂに示すように、突起３１Ｂと、基部Ｕ２と、一対のアーム部Ｕ３とを有している。突起３１Ｂは第２操作部３Ｂの構成要素に相当し、一対のアーム部Ｕ３は第２回転部材５の構成要素に相当し、基部Ｕ２は第２操作部３Ｂと第２回転部材５の両方の構成要素を兼ねている。
【０１４０】
基部Ｕ２は、前後方向に長尺の矩形の板状である。突起３１Ｂは、基部Ｕ２から、下面に開口を有した中空の円筒状に突出している。突起３１Ｂの内部空間が、後述する第２カバー部Ｔ２と共に第２ばね３０Ｂを収容するための収容凹部３０３に相当する。言い換えると、第２操作部３Ｂは、その下面において、上方に凹んだ収容凹部３０３を有している。収容凹部３０３は、突起３１Ｂの孔３１０と連通している。
【０１４１】
一対のアーム部Ｕ３は、基部Ｕ２の前後両端から下方に突出する突出片と一体となっていて、基部Ｕ２から後方に延出している。一対のアーム部Ｕ３は、第１回転部材４における一対の保持片４３よりも外側に配置される一方で、第１回転部材４における保持片４３より外側の取付片４２とは対向する。また第１操作部３Ａは、一対のアーム部Ｕ３の内側に配置される。各アーム部Ｕ３は、その前後方向における中央よりもやや前寄りの位置に、押圧部５２２を有している。言い換えると、操作ブロック体Ｕ１の第２回転部材５も、上記実施形態の入力装置１の第２回転部材５と同様に、第１回転部材４の一対の第２受圧部４２２と接触する一対の押圧部５２２を有している。また各アーム部Ｕ３には、前後方向に貫通する円形の貫通孔５２１が形成されている。なお、各貫通孔５２１の右縁部は開放されていて、各アーム部Ｕ３の右端は、前後方向に沿って見て、略Ｃ字状となっている。各貫通孔５２１に、ケース本体２Ｙにおける対応する突起２０８が嵌まることにより、操作ブロック体Ｕ１がケース２１に取り付けられる。操作ブロック体Ｕ１は、一対の貫通孔５２１の各々の中心を通る前後方向に沿った第２回転軸Ｚ２（図１８Ａ及び図１８Ｂ参照）を中心にして回転可能に構成される。
【０１４２】
上記実施形態の入力装置１と同様に、入力装置１ｂの基板７には、第１スイッチ７０Ａ、第２スイッチ７０Ｂ、電源回路７１、制御回路７２、及び送信回路７３などを構成する電子部品が実装されている。基板７は、ケース本体２Ｙの内側の左右の側面に設けられている複数の支持リブ２１２（図１２参照）に安定的に載置される。入力装置１ｂにおいても、第１操作部３Ａ又は第２操作部３Ｂが押されると、発電デバイス６が発電する。そして、発電デバイス６が発電した電力を用いて、第１操作部３Ａと第２操作部３Ｂとのうち押された操作部に応じた無線信号が出力される。
【０１４３】
［第３の相違点］
入力装置１ｂは、上述の通り、第１カバー部Ｔ１及び第２カバー部Ｔ２を更に備えている。
【０１４４】
ここでは図１４Ａ及び図１４Ｂに示すように、第１操作部３Ａ、第１カバー部Ｔ１、及び第１ばね３０Ａが、第１操作構造体Ｗ１を構成する。また図１５Ａ及び図１５Ｂに示すように、操作ブロック体Ｕ１、第２カバー部Ｔ２、及び第２ばね３０Ｂが、第２操作構造体Ｗ２を構成する。
【０１４５】
まず第１操作構造体Ｗ１について、図１４Ａ及び図１４Ｂを参照しながら、より詳細に説明する。
【０１４６】
第１ばね３０Ａは、円錐コイルばねである。第１ばね３０Ａは、径寸法の小さい第１端３０１Ａと、径寸法の大きい第２端３０２Ａとを有している。第１ばね３０Ａは、第１端３０１Ａを下方に向けた状態で配置される。
【０１４７】
第１カバー部Ｔ１（アクチュエータ）は、第１操作部３Ａと共に第１ばね３０Ａを内包する。第１カバー部Ｔ１は、全体として上面が開放された椀形状となっている。第１カバー部Ｔ１は、例えば、比較的に耐摩耗性、及び摺動性が良好なＰＯＭ（ポリオキシメチレン）樹脂により形成されている。第１カバー部Ｔ１は、開放された上面の周縁部において全周にわたって外方に突出するフランジ部Ｔ１１を有している。フランジ部Ｔ１１は、第１操作部３Ａの複数の爪部３０２に引っ掛けられる部位である。
【０１４８】
また第１カバー部Ｔ１は、下面の中央部において、第１スイッチ７０Ａに近づく方向に段階的に突出する接触部Ｔ１２を有している。接触部Ｔ１２は、対向する第１スイッチ７０Ａと接触する部位である。
【０１４９】
第１カバー部Ｔ１は、その開放された上面から第１ばね３０Ａの一部（下半分）を収容可能となっている。なお、第１ばね３０Ａの残りの部分（上半分）は、第１操作部３Ａの収容凹部３０１に収容される。第１カバー部Ｔ１は、内側の底面に、突起３１Ａに近づく方向に突出する支持凸部Ｔ１３（図１６Ａ参照）を有している。支持凸部Ｔ１３が第１ばね３０Ａの第１端３０１Ａに挿入されることで、第１ばね３０Ａは、第１カバー部Ｔ１の内部で安定して保持される。一方、第１操作部３Ａの収容凹部３０１の内部には、孔３１０の周縁部から筒状に下方へ突出する筒状部３１１（図１６Ａ参照）が設けられている。筒状部３１１が第１ばね３０Ａの第２端３０２Ａに挿入されることで、第１ばね３０Ａは、第１操作部３Ａの収容凹部３０１の内部で安定して保持される。
【０１５０】
このように構成された第１カバー部Ｔ１は、フランジ部Ｔ１１が第１操作部３Ａの複数の爪部３０２に引っ掛けられることで、第１ばね３０Ａを自然長に対してやや収縮させた状態で収容しながら、第１操作部３Ａに保持される。言い換えると、第１カバー部Ｔ１は、第１ばね３０Ａを覆うように第１操作部３Ａに保持される。そして、第１スイッチ７０Ａは、第１カバー部Ｔ１の下方に配置されている。
【０１５１】
第１操作部３Ａは、防水ゴム２３Ｄの右側の凸部２３１が突起３１Ａの孔３１０内に挿入されて固定されている。言い換えると、第１操作構造体Ｗ１は、防水ゴム２３Ｄによって保持されている。したがって、第１操作部３Ａは、第１操作部３Ａが押されていない定常状態では、右側のドーム部２３０と共に、可動範囲の上端位置に位置する。このときの第１操作部３Ａの位置を、以下では「基準位置」という。第１操作部３Ａが基準位置にあれば、第１スイッチ７０Ａがオフとなる。なお、第１操作部３Ａが基準位置にあるとき、第１カバー部Ｔ１と第１スイッチ７０Ａとの間には隙間があってもよいし、第１カバー部Ｔ１は、第１スイッチ７０Ａと直接接触していてもよい。
【０１５２】
第１操作部３Ａは、第１操作部３Ａが押された状態では、基準位置から下方に移動して、第１カバー部Ｔ１の接触部Ｔ１２が第１スイッチ７０Ａと接触する。このとき、第１操作部３Ａに加えられた下向きの力は、第１ばね３０Ａ及び第１カバー部Ｔ１を介して、第１スイッチ７０Ａに伝達される。このときの第１操作部３Ａの位置を、以下では「操作位置」という。第１操作部３Ａが操作位置にあれば、第１スイッチ７０Ａがオンとなる。ここで第１操作構造体Ｗ１に着目すると、第１カバー部Ｔ１は、第１スイッチ７０Ａからの応力を受けて第１ばね３０Ａを圧縮する方向に第１操作部３Ａの収容凹部３０１内で相対的に移動する。言い換えると、第１カバー部Ｔ１は、第１操作部３Ａが押された場合に、第１スイッチ７０Ａをオンし、かつ第１スイッチ７０Ａからの応力によって第１ばね３０Ａを縮める方向に移動可能である。そのため、第１スイッチ７０Ａからの応力が、第１操作構造体Ｗ１によって吸収される。したがって、第１操作部３Ａを押すユーザに良好な操作感触を提供できる（操作性の向上）。また第１スイッチ７０Ａが破損する可能性が低減される。第１操作部３Ａを押す力が無くなると、復帰ばね４０の弾性復帰力、及び防水ゴム２３Ｄのドーム部２３０の弾性復帰力によって、第１操作部３Ａが基準位置に復帰し、第１スイッチ７０Ａがオフとなる。
【０１５３】
次に第２操作構造体Ｗ２について、図１５Ａ及び図１５Ｂを参照しながら、より詳細に説明する。
【０１５４】
第２ばね３０Ｂは、円錐コイルばねである。第２ばね３０Ｂは、例えば、第１ばね３０Ａの形状及び寸法と実質的に共通する部材である。第２ばね３０Ｂは、径寸法の小さい第１端３０１Ｂと、径寸法の大きい第２端３０２Ｂとを有している。第２ばね３０Ｂは、第１端３０１Ｂを下方に向けた状態で配置される。
【０１５５】
第２カバー部Ｔ２（アクチュエータ）は、操作ブロック体Ｕ１の第２操作部３Ｂと共に第２ばね３０Ｂを内包する。第２カバー部Ｔ２は、例えば、第１カバー部Ｔ１と同様に、ＰＯＭ樹脂により形成されている。
【０１５６】
第２カバー部Ｔ２は、例えば、第１カバー部Ｔ１の形状及び寸法と実質的に共通する部材である。すなわち、第２カバー部Ｔ２は、全体として上面が開放された椀形状となっている。第２カバー部Ｔ２は、フランジ部Ｔ２１を有している。フランジ部Ｔ２１は、第２操作部３Ｂの複数の爪部３０２に引っ掛けられる部位である。
【０１５７】
第２カバー部Ｔ２は、下面の中央部において、第２スイッチ７０Ｂに近づく方向に段階的に突出する接触部Ｔ２２を有している。接触部Ｔ２２は、対向する第２スイッチ７０Ｂと接触する部位である。
【０１５８】
第２カバー部Ｔ２は、その開放された上面から第２ばね３０Ｂの一部（下半分）を収容可能となっている。なお、第２ばね３０Ｂの残りの部分（上半分）は、第２操作部３Ｂの収容凹部３０３に収容される。第２カバー部Ｔ２は、内側の底面に、突起３１Ｂに近づく方向に突出する支持凸部Ｔ２３（図１６Ａ参照）を有している。支持凸部Ｔ２３が第２ばね３０Ｂの第１端３０１Ｂに挿入されることで、第２ばね３０Ｂは、第２カバー部Ｔ２の内部で安定して保持される。一方、第２操作部３Ｂの収容凹部３０３の内部には、孔３１０の周縁部から筒状に下方へ突出する筒状部３１１が設けられている。筒状部３１１が第２ばね３０Ｂの第２端３０２Ｂに挿入されることで、第２ばね３０Ｂは、第２操作部３Ｂの収容凹部３０３の内部で安定して保持される。
【０１５９】
このように構成された第２カバー部Ｔ２は、フランジ部Ｔ２１が第２操作部３Ｂの複数の爪部３０２に引っ掛けられることで、第２ばね３０Ｂを自然長に対してやや収縮させた状態で収容しながら、第２操作部３Ｂに保持される。言い換えると、第２カバー部Ｔ２は、第２ばね３０Ｂを覆うように第２操作部３Ｂに保持される。そして、第２スイッチ７０Ｂは、第２カバー部Ｔ２の下方に配置されている。
【０１６０】
第２操作部３Ｂは、防水ゴム２３Ｄの左側の凸部２３１が突起３１Ｂの孔３１０内に挿入されて固定されている。言い換えると、第２操作構造体Ｗ２は、防水ゴム２３Ｄによって保持されている。第２操作部３Ｂが基準位置にあれば、第２スイッチ７０Ｂがオフとなる。なお、第２操作部３Ｂが基準位置にあるとき、第２カバー部Ｔ２と第２スイッチ７０Ｂとの間には隙間があってもよいし、第２カバー部Ｔ２は、第２スイッチ７０Ｂと直接接触していてもよい。
【０１６１】
第２操作部３Ｂが操作位置にあれば、第２スイッチ７０Ｂがオンとなる。また第１操作構造体Ｗ１と同様に、第２操作構造体Ｗ２の第２カバー部Ｔ２は、第２スイッチ７０Ｂとの接触時には、第２スイッチ７０Ｂからの応力を受けて第２ばね３０Ｂを圧縮する方向に第２操作部３Ｂの収容凹部３０３内で相対的に移動する。言い換えると、第２カバー部Ｔ２は、第２操作部３Ｂが押された場合に、第２スイッチ７０Ｂをオンし、かつ第２スイッチ７０Ｂからの応力によって第２ばね３０Ｂを縮める方向に移動可能である。したがって、第２操作部３Ｂを押すユーザに良好な操作感触を提供できる（操作性の向上）。また第２スイッチ７０Ｂが破損する可能性が低減される。第２操作部３Ｂを押す力が無くなると、復帰ばね４０の弾性復帰力、及び防水ゴム２３Ｄのドーム部２３０の弾性復帰力によって第２操作部３Ｂが基準位置に復帰し、第２スイッチ７０Ｂがオフとなる。
【０１６２】
［第４の相違点］
入力装置１ｂは、上述の通り、一対の第１接点ばね６７及び一対の第２接点ばね６８の代わりに、ＦＰＣ１００を備えている。また入力装置１ｂでは、入力装置１における第１接点ばね６７及び第２接点ばね６８を保持するためのばね保持部６６も省略されている。
【０１６３】
本変形例では、振動体６１の固定端側の端部（左端部）が、一対の取付ねじ６５及び一対の六角ナットＮ１により、ケース本体２Ｙの底部２０１に固定されることにより、筐体２に保持されている。
【０１６４】
本変形例では、発電デバイス６は、ＦＰＣ１００を介して、基板７と電気的に接続されている。ＦＰＣ１００は、例えば、略Ｓ字状の折り曲げを施して振動体６１の両面を挟み込むように取り付けられる。
【０１６５】
また本変形例では、第１回転部材４は、ケース本体２Ｙの内側における前後の側面に設けられた一対の突起２０６に取り付けられている。第１回転部材４は、第１操作部３Ａ及び第２操作部３Ｂの移動に連動して、前後方向に沿った第１回転軸Ｚ１（図１７Ａ〜図１８Ｂ参照）を中心に回転するように構成されている。また第１回転部材４は、磁石４４を保持している。磁石４４は、発電デバイス６の磁性おもり６３と磁気的に結合されている。第１回転部材４が回転すると、磁石４４と共に磁性おもり６３が下方に移動する。これにより、振動体６１を撓めて振動させることができる。
【０１６６】
具体的には、入力装置１ｂの第１回転部材４は、入力装置１と概ね同様に、底部４１と、一対の取付片４２と、一対の保持片４３と、を有している。一対の取付片４２は、それぞれ底部４１よりも左側の部位において前後方向に貫通する円形の貫通孔４２１が形成されている。なお、各貫通孔４２１の左縁部は開放されていて、各取付片４２の左端は、前後方向に沿って見て、略Ｃ字状となっている。
【０１６７】
第１回転部材４は、一対の取付片４２に形成された一対の貫通孔４２１に、ケース本体２Ｙの一対の突起２０６が嵌まることにより、ケース本体２Ｙに取り付けられる。第１回転部材４は、一対の貫通孔４２１の各々の中心を通る前後方向に沿った第１回転軸Ｚ１を中心にして回転可能に構成される。したがって、第１回転部材４の底部４１は、発電デバイス６の振動体６１と、ケース本体２Ｙの底部２０１との間で上下方向に移動する。
【０１６８】
一対の保持片４３は、一対の取付片４２よりも右側の位置であって、かつ前後方向における一対の取付片４２の間の位置に形成されている。一対の保持片４３は、前後方向に貫通する矩形状の貫通孔４３１を有しており、磁石４４は、一対の保持片４３に形成された一対の貫通孔４３１を通るようにして、一対の保持片４３に保持されている。
【０１６９】
ケース本体２Ｙの底部２０１には、規制片２２５が設けられている（図１２、図１６Ａ及び図１６Ｂ参照）。規制片２２５は、振動体６１の自由端（右端）における可動範囲の下限位置を規制する。規制片２２５は、底部２０１から上方に突出するように前後方向に沿って形成されている。規制片２２５は、第１回転部材４の底部４１に設けられた貫通孔４１１を通って先端部（上端部）が振動体６１と接触することにより、振動体６１の自由端における可動範囲の下限位置を規制する。
【０１７０】
また第１回転部材４の底部４１と、ケース本体２Ｙの底部２０１との間には、単一の復帰ばね４０が配置されている。復帰ばね４０は、円錐コイルばねである。復帰ばね４０は、径寸法の小さい第１端４０１と、径寸法の大きい第２端４０２とを有している。復帰ばね４０は、第１端４０１を上方に向けた状態で配置される。復帰ばね４０は、第１回転部材４の底部４１と、ケース本体２Ｙの底部２０１とで挟まれている。ケース本体２Ｙの底部２０１には、復帰ばね４０の第２端４０２が嵌め込まれるための凹部２１０（図１２参照）が設けられている。凹部２１０は、略円形状に下方へ凹んでいて、その周縁縁には、第２端４０２を引っ掛けるための一対の爪部２１１が形成されている。
【０１７１】
復帰ばね４０は、第１回転部材４が可動範囲の上限位置となるように、第１回転部材４に対して弾性力を作用させる。以下では、第１回転部材４における可動範囲の上限位置を「第１始端位置」という（図１６Ａ、図１７Ａ、及び図１８Ａ参照）。
【０１７２】
一対の保持片４３における上端部には、一対の第１受圧部４３２が設けられている。本変形例では、一対の第１受圧部４３２は、左右方向に沿って平坦な面により構成されている。第１始端位置において、一対の第１受圧部４３２と第１操作部３Ａの一対の突出片３３Ａとの間にはそれぞれ隙間があってもよいし、一対の第１受圧部４３２は、一対の突出片３３Ａとそれぞれ直接接触していてもよい。一対の第１受圧部４３２は、第１操作部３Ａが押されると一対の突出片３３Ａから下向きの力を受ける。これにより、第１回転部材４は、第１回転軸Ｚ１を中心にして、復帰ばね４０を圧縮しながら可動範囲の下端位置まで回転移動する。以下では、第１回転部材４における可動範囲の下限位置を「第１終端位置」という（図１６Ｂ、図１７Ｂ、及び図１８Ｂ参照）。
【０１７３】
また第１回転部材４は、一対の第２受圧部４２２をさらに有している。第１始端位置において、一対の第２受圧部４２２と第２回転部材５の一対の押圧部５２２との間にはそれぞれ隙間があってもよいし、一対の第２受圧部４２２は、一対の押圧部５２２とそれぞれ直接接触していてもよい。一対の第２受圧部４２２は、第２操作部３Ｂが押されると、第２回転部材５の押圧部５２２から下向きの力を受ける。これにより、第１回転部材４は、第１回転軸Ｚ１を中心にして、復帰ばね４０を圧縮しながら可動範囲の下端位置（第１終端位置）まで回転移動する。
【０１７４】
また本変形例では、第２回転部材５は、ケース本体２Ｙの内側における前後の側面に設けられた一対の突起２０８に取り付けられている。本変形例では、第２回転部材５は、第２操作部３Ｂと一体となって形成されているため、第２操作部３Ｂと一体的に前後方向に沿った第２回転軸Ｚ２（図１８Ａ及び図１８Ｂ参照）を中心に回転するように構成されている。第２回転部材５が回転すると、第１回転部材４は、第２受圧部４２２が押されて回転する。これにより、振動体６１を撓めて振動させることができる。なお、第１操作部３Ａは、第２回転部材５の一対のアーム部Ｕ３の間において上下方向に移動して第１回転部材４の第１受圧部４３２を押すことができる。第２回転部材５は、第２回転軸Ｚ２を中心にして、可動範囲の上限位置から下限位置まで回転移動する。以下では、第２回転部材５における可動範囲の上限位置を「第２始端位置」、下限位置を「第２終端位置」という（図１８Ａ及び図１８Ｂ参照）。
【０１７５】
［第２変形例の動作］
以下に、本変形例における入力装置１ｂの動作について説明する。ただし、上記実施形態の入力装置１の動作と共通する箇所については適宜に説明を省略する場合もある。
【０１７６】
まず、発電デバイス６における発電動作について図１６Ａ及び図１６Ｂを参照して説明する。図１６Ａは、第１回転部材４が第１始端位置にある状態を示し、図１６Ｂは、第１回転部材４が第１終端位置にある状態を示している。
【０１７７】
図１６Ａに示すように、第１回転部材４が第１始端位置にある場合、第１回転部材４が保持している磁石４４に振動体６１の自由端に設けられた磁性おもり６３が磁気吸着されている。
【０１７８】
第１操作部３Ａ又は第２操作部３Ｂが押されると、第１回転部材４は、第１回転軸Ｚ１を中心にして、前方から見て時計回りの向きに回転する。図１６Ｂでは、第１操作部３Ａが押された例を示している。より具体的に説明すると、防水ゴム２３Ｄの（図示例では右側の）ドーム部２３０が押されると、そのドーム部２３０が下方に凹むようにその周囲が撓められる。そして、ドーム部２３０に固定されている第１操作部３Ａを含む第１操作構造体Ｗ１全体が、第１スイッチ７０Ａに近づく方向（下方）に移動する。第１操作部３Ａが押される前までは、図１６Ａに示すように、第１カバー部Ｔ１の接触部Ｔ１２は、第１スイッチ７０Ａから離間している。第１操作部３Ａが押されることで、接触部Ｔ１２は、第１スイッチ７０Ａに接触する。接触部Ｔ１２が第１スイッチ７０Ａに接触してから、第１操作部３Ａが更に押し込まれると、第１スイッチ７０Ａがオンになると共に、第１カバー部Ｔ１は、第１スイッチ７０Ａから応力を受けることになる。その結果、第１操作部３Ａから見れば、第１カバー部Ｔ１は、第１操作部３Ａと第１カバー部Ｔ１との内部に収容されている第１ばね３０Ａを縮める方向に相対的に移動する。なお、図示は省略するが、左側のドーム部２３０が押された場合も、そのドーム部２３０に固定されている第２操作部３Ｂを含む第２操作構造体Ｗ２全体が、第２スイッチ７０Ｂに近づく方向（下方）に移動する。第２カバー部Ｔ２の接触部Ｔ２２が第２スイッチ７０Ｂに接触してから、第２操作部３Ｂが更に押し込まれると、第２スイッチ７０Ｂがオンになると共に、第２カバー部Ｔ２は、第２スイッチ７０Ｂから応力を受けることになる。その結果、第２操作部３Ｂから見れば、第２カバー部Ｔ２は、第２操作部３Ｂと第２カバー部Ｔ２との内部に収容されている第２ばね３０Ｂを縮める方向に相対的に移動する。
【０１７９】
また第１回転部材４の回転に伴って、磁石４４、及び磁石４４に磁気吸着されている磁性おもり６３が下向きに移動する。これにより、振動体６１は、自由端（右端）が固定端（左端）よりも下方に位置するように撓められる。そして、第１回転部材４が第１終端位置まで移動すると、振動体６１が規制片２２５に接触することによって、磁石４４と磁性おもり６３との間の磁気吸着が解除される。これにより、振動体６１は、振動体６１の弾性力によって、自由端（右端）が上下方向に往復移動するように振動し、圧電素子６２が電力を発生する。
【０１８０】
第１操作部３Ａ又は第２操作部３Ｂが押される力が解除されると、復帰ばね４０の弾性力によって第１回転部材４が第１終端位置から第１始端位置に移動する。第１回転部材４が第１始端位置に復帰することによって、磁石４４と磁性おもり６３とが磁気吸着して、振動体６１の振動が停止する。
【０１８１】
このように、第１回転部材４が、第１回転軸Ｚ１を中心にして、第１始端位置（図１６Ａ参照）から第１終端位置（図１６Ｂ参照）に回転することによって、発電デバイス６が発電を行う。
【０１８２】
次に、第１操作部３Ａが押された場合における第１回転部材４の動作について、図１７Ａ、図１７Ｂを参照して説明する。図１７Ａは、第１操作部３Ａが押されていない基準位置にある状態を示し、図１７Ｂは、第１操作部３Ａが押された操作位置にある状態を示している。なお、図１７Ａ、図１７Ｂでは、ケース２１等の記載を適宜省略している。
【０１８３】
第１操作部３Ａは、第１操作部３Ａが押されていない定常状態では、防水ゴム２３Ｄに保持されて基準位置に位置する（図１７Ａ参照）。このとき、第１回転部材４は、復帰ばね４０の弾性力によって第１始端位置に位置している。
【０１８４】
そして、第１操作部３Ａが押されると、一対の突出片３３Ａの下端に設けられた円弧状に突出する突起３３０から、第１回転部材４の一対の第１受圧部４３２に対して下向きの力が加えられる。第１回転部材４は、一対の第１受圧部４３２に対して下向きの力が加えられることによって、第１回転軸Ｚ１を中心にして、第１始端位置（図１７Ａ参照）から第１終端位置（図１７Ｂ参照）に回転する。つまり本変形例においても、第１操作部３Ａは、押されると、第１回転部材４に対して、第１回転部材４を回転させる力を直接的に伝達する。このとき、第１操作部３Ａから第２回転部材５には、力が伝達されていないため、第２回転部材５を含む操作ブロック体Ｕ１は、第２始端位置のままである。
【０１８５】
このように、第１操作部３Ａが押されると、第１操作部３Ａに加わる下向きの力が、第１回転部材４に直接的に伝達され、発電デバイス６が発電を行う。
【０１８６】
次に、第２操作部３Ｂが押された場合における第２回転部材５の動作について、図１８Ａ、図１８Ｂを参照して説明する。図１８Ａは、第２操作部３Ｂが押されていない基準位置にある状態を示し、図１８Ｂは、第２操作部３Ｂが押された操作位置にある状態を示している。なお、図１８Ａ、図１８Ｂでは、ケース２１等の記載を適宜省略している。
【０１８７】
第２操作部３Ｂは、第２操作部３Ｂが押されていない定常状態では、防水ゴム２３Ｄに保持されて基準位置に位置する（図１８Ａ参照）。このとき、第１回転部材４は、復帰ばね４０の弾性力によって第１始端位置に位置している。なお、図１８Ａでは、第１回転部材４の一対の第２受圧部４２２と、第２回転部材５の一対の押圧部５２２とが、僅かに隙間を空けている。または定常状態でも、第２受圧部４２２と押圧部５２２とは接触していてもよい。これらが定常状態でも接触していれば、復帰ばね４０の弾性力は、第１回転部材４を介して第２回転部材５に伝達され、第２回転部材５は、第２始端位置に、安定的に維持され得る。
【０１８８】
そして、第２操作部３Ｂが押されると、第２操作部３Ｂと一体的に形成されている第２回転部材５は、第２回転軸Ｚ２を中心にして、第２始端位置（図１８Ａ参照）から第２終端位置（図１８Ｂ参照）に回転する。要するに、第２操作部３Ｂが押されると、操作ブロック体Ｕ１全体が、第２回転軸Ｚ２を中心にして回転する。
【０１８９】
操作ブロック体Ｕ１全体が回転すると、一対の押圧部５２２から第１回転部材４の一対の第２受圧部４２２に対して下向きの力が加えられる。第１回転部材４は、一対の第２受圧部４２２に対して下向きの力が加えられることによって、第１回転軸Ｚ１を中心にして、第１始端位置（図１８Ａ参照）から第１終端位置（図１８Ｂ参照）に回転する。
【０１９０】
つまり本変形例においても、第２操作部３Ｂは、押されると、第１回転部材４に対して、第２回転部材５を介して第１回転部材４を回転させる力を間接的に伝達する。
【０１９１】
このように、第２操作部３Ｂが押されると、第２操作部３Ｂに加わる下向きの力が、第２回転部材５を介して第１回転部材４に間接的に伝達され、発電デバイス６が発電を行う。
【０１９２】
（その他の変形例）
上述した例では、磁石４４の磁力を用いて振動体６１を振動させるように構成されていたが、この構成に限らない。例えば、第１回転部材４に設けられた爪で振動体６１の自由端を弾くことにより、振動体６１を振動させるように構成されていてもよい。この場合、第１回転部材４が第１始端位置から第１終端位置に向かって回転する途中で、爪が振動体６１に接触して振動体６１を弾く。これにより、振動体６１が振動して、圧電素子６２が発電する。
【０１９３】
また、上述した例では、入力装置１は、下向きに押される２つの操作部（第１操作部３Ａ、第２操作部３Ｂ）、及び２つの操作部に対応するスイッチ（第１スイッチ７０Ａ、第２スイッチ７０Ｂ）を備えていたが、これに限らない。入力装置１は、下向きに押される３つ以上の操作部、及び３つ以上の操作部に対応する３つ以上のスイッチを備えた構成であってもよい。
【０１９４】
また、上述した例では、入力装置１ａは、左向きに押される１つの第３操作部３Ｃ、及び第３操作部３Ｃに対応する１つの第３スイッチ７０Ｃを備えていたが、これに限らない。入力装置１ａは、左向きに押される２つ以上の操作部、及び２つ以上の操作部に対応する２つ以上のスイッチを備えた構成であってもよい。また、入力装置１ａは、下向き及び左向きとは異なる向きに押される操作部、及び当該操作部に対応するスイッチを備えた構成であってもよい。
【０１９５】
（まとめ）
第１態様に係る入力装置（１，１ａ，１ｂ）は、押操作される第１操作部（３Ａ）と、押操作される第２操作部（３Ｂ）と、回転する第１回転部材（４）と、回転する第２回転部材（５）と、第１スイッチ（７０Ａ）と、第２スイッチ（７０Ｂ）と、発電デバイス（６）と、を備える。発電デバイス（６）は、第１回転部材（４）が回転すると、発電を行う。第１操作部（３Ａ）が押された場合、第１スイッチ（７０Ａ）がオンし、かつ、第１回転部材（４）が第１操作部（３Ａ）から直接的に力を加えられて回転する。第２操作部（３Ｂ）が押された場合、第２スイッチ（７０Ｂ）がオンし、かつ、第１回転部材（４）が第２操作部（３Ｂ）から第２回転部材（５）を介して間接的に力を加えられて回転する。
【０１９６】
この態様によれば、第１操作部（３Ａ）を押操作する第１操作力と、第２操作部（３Ｂ）を押操作する第２操作力とを調整することができる。
【０１９７】
第２態様に係る入力装置（１，１ａ，１ｂ）では、第１態様において、第１操作部（３Ａ）又は第２操作部（３Ｂ）が押された場合に第１回転部材（４）が回転する向きと、第２操作部（３Ｂ）が押された場合に第２回転部材（５）が回転する向きとが、互いに逆向きである。
【０１９８】
この態様によれば、第１操作部（３Ａ）を押操作する第１操作力と、第２操作部（３Ｂ）を押操作する第２操作力とを調整することができる。
【０１９９】
第３態様に係る入力装置（１，１ａ，１ｂ）では、第１又は第２態様において、第１操作部（３Ａ）が押された場合、第１スイッチ（７０Ａ）がオンした後に発電デバイス（６）が発電する。第２操作部（３Ｂ）が押された場合、第２スイッチ（７０Ｂ）がオンした後に発電デバイス（６）が発電する。
【０２００】
この態様によれば、発電デバイス（６）の発電時に、第１スイッチ（７０Ａ）又は第２スイッチ（７０Ｂ）がオフしていることが抑制される。
【０２０１】
第４態様に係る入力装置（１，１ａ，１ｂ）は、第３態様において、第１操作部（３Ａ）と第１スイッチ（７０Ａ）との間に設けられた第１ばね（３０Ａ）と、第２操作部（３Ｂ）と第２スイッチ（７０Ｂ）との間に設けられた第２ばね（３０Ｂ）と、を更に備える。第１操作部（３Ａ）が押された場合に第１スイッチ（７０Ａ）がオンするタイミングは、第１ばね（３０Ａ）の弾性力によって調整される。第２操作部（３Ｂ）が押された場合に第２スイッチ（７０Ｂ）がオンするタイミングは、第２ばね（３０Ｂ）の弾性力によって調整される。
【０２０２】
この態様によれば、簡易な構成で第１スイッチ（７０Ａ）がオンするタイミング、及び第２スイッチ（７０Ｂ）がオンするタイミングを調整することができる。
【０２０３】
第５態様に係る入力装置（１ｂ）は、第４態様において、第１カバー部（Ｔ１）と、第２カバー部（Ｔ２）と、を更に備える。第１カバー部（Ｔ１）は、第１ばね（３０Ａ）を覆うように第１操作部（３Ａ）に保持される。第２カバー部（Ｔ２）は、第２ばね（３０Ｂ）を覆うように第２操作部（３Ｂ）に保持される。第１カバー部（Ｔ１）は、第１操作部（３Ａ）が押された場合に、第１スイッチ（７０Ａ）をオンし、かつ第１スイッチ（７０Ａ）からの応力によって第１ばね（３０Ａ）を縮める方向に移動可能である。第２カバー部（Ｔ２）は、第２操作部（３Ｂ）が押された場合に、第２スイッチ（７０Ｂ）をオンし、かつ第２スイッチ（７０Ｂ）からの応力によって第２ばね（３０Ｂ）を縮める方向に移動可能である。
【０２０４】
この態様によれば、第１ばね（３０Ａ）及び第２ばね（３０Ｂ）が第１スイッチ（７０Ａ）及び第２スイッチ（７０Ｂ）と接触してオンされる場合に比べて、操作性が向上される。また第１スイッチ（７０Ａ）及び第２スイッチ（７０Ｂ）が破損する可能性が低減される。
【０２０５】
第６態様に係る入力装置（１，１ａ，１ｂ）では、第１〜第５態様のいずれかにおいて、第２回転部材（５）は、第１回転部材（４）に対して力を加える一対の押圧部（５２２）を有する。一対の押圧部（５２２）は、発電デバイス（６）の両側に設けられている。
【０２０６】
この態様によれば、第１回転部材（４）及び第２回転部材（５）が発電デバイス（６）と干渉することが抑制されるので、発電デバイス（６）を大型化して、発電量の増加を図ることができる。
【０２０７】
第７態様に係る入力装置（１，１ａ，１ｂ）は、第６態様において、発電デバイス（６）と電気的に接続された基板（７）を更に備える。基板（７）は、一対の押圧部（５２２）の間に設けられている。
【０２０８】
この態様によれば、第１回転部材（４）及び第２回転部材（５）が基板（７）と干渉することが抑制されるので、基板（７）の大型化を図ることができる。
【０２０９】
第８態様に係る入力装置（１，１ａ，１ｂ）では、第１〜第７態様のいずれかにおいて、発電デバイス（６）は、振動体（６１）と、振動体（６１）に設けられた圧電素子（６２）と、を有している。
【０２１０】
この態様によれば、振動体（６１）の振動エネルギーを圧電素子（６２）で電気エネルギーに変換することができる。
【０２１１】
第９態様に係る入力装置（１，１ａ，１ｂ）は、第８態様において、第１回転部材（４）に保持された磁石（４４）を更に備え、磁石（４４）の磁力を用いて振動体（６１）を振動させる。
【０２１２】
この態様によれば、爪で振動体（６１）を振動させる構成に比べて、磁石（４４）の摩耗等を抑制でき、長寿命化を図ることがきる。
【０２１３】
第１０態様に係る入力装置（１ａ）は、第１〜第９態様のいずれかにおいて、押操作される第３操作部（３Ｃ）と、第３スイッチ（７０Ｃ）と、を更に備える。第３操作部（３Ｃ）が押された場合、第３スイッチ（７０Ｃ）がオンし、かつ、第１回転部材（４）が第３操作部（３Ｃ）から直接的又は間接的に力を加えられて回転する。
【０２１４】
この態様によれば、第１スイッチ（７０Ａ）、第２スイッチ（７０Ｂ）、及び第３スイッチ（７０Ｃ）のいずれが押された場合でも、発電デバイス（６）を発電させることができる。
【０２１５】
第１１態様に係る入力装置（１ａ）では、第１０態様において、第３操作部（３Ｃ）は、第１操作部（３Ａ）及び第２操作部（３Ｂ）が押される向きに対して直交する向きに押される。
【０２１６】
この態様によれば、第３操作部（３Ｃ）が第１操作部（３Ａ）及び第２操作部（３Ｂ）と異なる向きに押されるように配置されるので、入力装置（１ａ）の小型化を図ることができる。
【０２１７】
第１２態様に係る入力装置（１，１ａ，１ｂ）は、第１〜第１１態様のいずれかにおいて、無線信号を出力する送信回路（７３）を、更に備える。送信回路（７３）は、発電デバイス（６）が発生した電力を用いて無線信号を出力する。
【０２１８】
この態様によれば、第１スイッチ（７０Ａ）又は第２スイッチ（７０Ｂ）の押操作に連動して、無線信号を出力することができる。
【０２１９】
第１３態様に係る入力装置（１ｂ）では、第１〜第１２態様のいずれかにおいて、第２操作部（３Ｂ）は、第２回転部材（５）と一体となって形成されている。
【０２２０】
この態様によれば、部品点数を削減できて、コストの削減を図ることができる。
【符号の説明】
【０２２１】
１，１ａ，１ｂ  入力装置
３Ａ  第１操作部
３Ｂ  第２操作部
３Ｃ  第３操作部
４  第１回転部材
５  第２回転部材
７０Ａ  第１スイッチ
７０Ｂ  第２スイッチ
７０Ｃ  第３スイッチ
６  発電デバイス
３０Ａ  第１ばね
３０Ｂ  第２ばね
５２２  押圧部
７  基板
６１  振動体
６２  圧電素子
４４  磁石
７３  送信回路
【図１】
2020080114.tif 000003
【図２】
2020080114.tif 000004
【図３】
2020080114.tif 000005
【図４】
2020080114.tif 000006
【図５】
2020080114.tif 000007
【図６】
2020080114.tif 000008
【図７】
2020080114.tif 000009
【図８】
2020080114.tif 000010
【図９】
2020080114.tif 000011
【図１０】
2020080114.tif 000012
【図１１】
2020080114.tif 000013
【図１２】
2020080114.tif 000014
【図１３】
2020080114.tif 000015
【図１４】
2020080114.tif 000016
【図１５】
2020080114.tif 000017
【図１６】
2020080114.tif 000018
【図１７】
2020080114.tif 000019
【図１８】
2020080114.tif 000020
【国際調査報告】
2020080114.tif 000021
2020080114.tif 000022
2020080114.tif 000023
2020080114.tif 000024